(57)【要約】【課題】  副制御部の類別を増加させることなく、機種毎の演出変更に柔軟に対応する。【解決手段】  遊技機に、遊技の進行を司る主制御部と、遊技の進行に伴う各種の演出を司る副制御部とを設ける。予め主制御部から副制御部に向かって、遊技機の機種を表す機種コマンドを出力しておき、副制御部ではかかる機種コマンドを考慮しながら各種の演出を行う。こうすれば、副制御部で機種に応じた演出を行うことができるので、各機種毎に専用の副制御部を用いずとも、機種に応じた適切な演出を行うことが可能となる。また、副制御部が各種演出を行う際に機種を考慮しながら行うことができるので、機種毎の演出を柔軟に変更することが可能となる。【選択図】  図２６
2006167429.tif 000002
【特許請求の範囲】
【請求項１】
遊技の進行を司る主制御部と、該遊技の進行に伴う各種の演出を司る副制御部とを有する遊技機であって、
前記主制御部は、前記遊技機の機種を表すコマンドを、前記副制御部に向けて出力する機種コマンド出力手段を備え、
前記副制御部は、前記出力された機種コマンドを考慮して前記各種の演出を行う制御部であることを特徴とする遊技機。
【請求項２】
請求項１記載の遊技機であって、
前記機種コマンド出力手段は、前記機種コマンドを前記遊技機の電源投入時に出力することを特徴とする遊技機。
【請求項３】
請求項１記載の遊技機であって、
所定の識別図柄を変動表示する図柄表示手段と、
遊技球の入賞が前記識別図柄の変動表示の契機として設定された始動口と
を備え、
前記副制御部は、前記識別図柄を変動表示させて行う演出を司っており、
前記機種コマンド出力手段は、前記始動口に遊技球が入賞する度に、前記機種コマンドを前記副制御部に向かって出力することを特徴とする遊技機。
【請求項４】
請求項１記載の遊技機であって、
所定の識別図柄を変動表示する図柄表示手段を備え、
前記副制御部は、前記識別図柄を変動表示させて行う演出を司っており、
前記機種コマンド出力手段は、前記識別図柄の変動表示が開始される度に、該変動表示を停止させるタイミングおよび前記遊技機の機種を表す前記機種コマンドを、前記副制御部に向かって出力することを特徴とする遊技機。
【請求項５】
請求項１ないし請求項４記載の遊技機であって、
前記主制御部は、前記遊技の進行状況に応じて出力される遊技コマンドを、前記副制御部に出力する遊技コマンド出力手段を備え、
前記副制御部は、前記遊技コマンドと前記機種コマンドとに基づいて、前記各種の演出を行うことを特徴とする遊技機。
【請求項６】
請求項５記載の遊技機であって、
前記副制御部は、前記機種の各々について前記各種の演出の内容を記憶しているとともに、前記受け取った機種コマンドに応じて、該記憶している各種演出の中から対応する該演出の内容を読み出して、該各種の演出を行うことを特徴とする遊技機。
【発明の詳細な説明】
【技術分野】
【０００１】
本発明は、遊技機に関し、特にいわゆる遊技球あるいはメダルなどを用いて遊技を行うパチンコ遊技機、回胴式遊技機、アレンジボール遊技機、雀球遊技機などの各種遊技機に関する。
【背景技術】
【０００２】
いわゆるパチンコ機やスロット機などの各種遊技機では、遊技球やメダルなどを用いて遊技が行われており、遊技の興趣を高めて遊技者を一層楽しませるために、遊技の進行に合わせて各種の演出が行われている。また、これら遊技機は主制御部および副制御部を含んだ複数の制御部によって制御されており、遊技の進行に関わる内容は主制御部によって制御され、遊技の進行に合わせた各種の演出については副制御部によって制御されている。そして、遊技の進行に合わせて適切に演出を行うことを可能とするために、主制御部から副制御部に向かってコマンドを出力し、副制御部では受け取ったコマンドに従って各種の演出を行うようになっている。
【０００３】
以下では、理解の便宜を図るため、いわゆるパチンコ機において遊技球が始動口に入賞した場合を具体例として使用することにより、主制御部および副制御部の動作について説明する。主制御部は、遊技球が始動口に入賞したことを検知すると、当りか否かの判定（当否判定）を行う。判定の結果が当りとなった場合は、主制御部は遊技の状態を新たな状態（通常は、遊技者にとって有利な状態）に変更する制御を行う。逆に、判定の結果が外れである場合は、遊技状態を新たな状態に変更することなく、そのまま遊技を続行するような制御を行う。このように、遊技の進行に関わる内容は主制御部によって制御される。一方、遊技の進行に伴う演出は副制御部によって制御される。すなわち、副制御部は、当否判定の結果を表すコマンドを主制御部から受け取って、判定結果が当りの場合と外れの場合とで、それぞれ所定の演出を行う。
【０００４】
ここで、たとえ遊技機の類別、すなわちパチンコ遊技機、回胴式遊技機、アレンジボール遊技機、雀球遊技機などの類別が同じであったとしても、機種が違えば演出の細かな内容は異なっていることが多い。すなわち、当否判定の結果が当りの場合でも、ある機種では、例えばファンファーレを鳴らした後で所定の図柄が表示され、他の機種では、所定の図柄を表示した後にファンファーレが鳴るといったように、演出の詳細な内容は機種によって異なっていることが多い。このため、各遊技機の副制御部には、その遊技機の機種に応じて適切な演出の内容が記憶されている（例えば、特許文献１など）。
【０００５】
【特許文献１】特開２００２−２３９１０５号公報
【発明の開示】
【発明が解決しようとする課題】
【０００６】
しかし、遊技機の機種に応じて異なる演出内容を記憶したのでは、副制御部の類別が増加してしまうという問題がある。もちろん、主制御部からコマンドを出力して演出内容を副制御部に細かく指示してやることとすれば、ある程度までは副制御部の類別を減らすことも可能である。例えば、上述した例では、ある機種ではファンファーレを鳴らすコマンドを副制御部に出力してから、所定の図柄を表示するコマンドを出力し、他の機種では所定の図柄を表示するコマンドを副制御部に出力してから、ファンファーレを鳴らすコマンドを出力する。このように、演出の内容を主制御部から細かく指示してやれば、同じ副制御部を使用することができるので副制御部の類別を減らすことは可能である。しかし、これでは、主制御部での制御内容が大変に複雑なものとなってしまうという新たな問題を招くこととなる。
【０００７】
この発明は、従来技術が有する上述した課題を解決するためになされたものであり、副制御部の類別をいたずらに増加させることなく、多様な演出に柔軟に対応可能な遊技機を提供することを目的とする。
【０００８】
また、本発明の他の目的は、主制御部での制御内容を複雑化させることなく、副制御部の類別を低減可能な遊技機を提供することを目的とする。
【課題を解決するための手段】
【０００９】
上述した課題の少なくとも一部を解決するために、本発明の遊技機は次の構成を採用した。すなわち、
遊技の進行を司る主制御部と、該遊技の進行に伴う各種の演出を司る副制御部とを有する遊技機であって、
前記主制御部は、前記遊技機の機種を表すコマンドを、前記副制御部に向けて出力する機種コマンド出力手段を備え、
前記副制御部は、前記出力された機種コマンドを考慮して前記各種の演出を行う制御部であることを特徴とする。
【００１０】
かかる遊技機では、遊技の進行を司る主制御部から、遊技の進行に伴う各種の演出を司る副制御部に向かって、遊技機の機種を表す機種コマンドを出力する。ここで、遊技機の機種とは、いわゆる遊技機の型式であってもよいし、あるいは、いわゆるスペックと呼ばれる、遊技の進行に関する各種設定の類別であっても良い。そして、副制御部においては、主制御部から出力された機種を考慮しながら、各種の演出を行う。
【００１１】
こうすれば、副制御部では、機種に応じて演出内容を変更することができるので、副制御部の類別をいたずらに増加させずとも、機種毎に適切な演出を行うことが可能となる。また、各種の演出を行う際に、機種を考慮しながら演出内容を決定することができるので、機種毎に多様な演出を行う場合にも柔軟に対応することが可能となる。
【００１２】
更に、副制御部に予め各機種についての制御内容を記憶しておけば、副制御部を共通化することができる。このため、副制御部を共通化してやれば、遊技機の製造工程を簡素化することが可能であるとともに、誤った副制御部が組み付けられることを回避することができるので、合理的な製造工程を構成することが可能となる。
【００１３】
こうした遊技機においては、遊技機の電源投入時に、機種コマンドを出力することとしても良い。尚、電源投入時とは、電源を投入した直後のみならず、投入してから遊技が開始されるまでの所定の期間を言う。
【００１４】
電源投入時であれば、遊技が未だ開始されていないので、主制御部あるいは副制御部のいずれについても、それほど制御負荷は高くはない。従って、このようなときに機種コマンドを出力するのであれば、コマンドを出力する主制御部にとっても、あるいはコマンドを受け取る副制御部にとっても、制御負荷的に負担がかかることがないので好ましい。
【００１５】
また、所定の識別図柄を変動表示させる演出を行う遊技機では、電源投入時に限らず、次のような場合に機種コマンドを出力することとしても良い。例えば、始動口に遊技球が入賞すると識別図柄の変動表示が開始されるようにしておき、始動口に遊技球が入賞する度に、機種コマンドを副制御部に向かって出力することとしても良い。
【００１６】
このような遊技機では、始動口への遊技球の入賞は、種々の演出を開始するための契機となる事項であることが多く、更に、頻繁に発生する事項でもある。従って、始動口へ入賞する度に機種コマンドを出力しておけば、たとえ遊技中に接続不良など何らかの原因で副制御部のみ瞬間的に電源供給が停止した場合でも、演出の開始に際して遊技機の正しい機種を取得して、機種に応じた演出を行うことが可能となるので好ましい。
【００１７】
尚、始動口へ入賞する度に出力する機種コマンドとしては、遊技機の機種のみを表すコマンドとすることもできるが、始動口への遊技球の入賞と遊技機の機種とを表すコマンドとしても良い。
【００１８】
始動口への遊技球の入賞は、遊技の進行に影響を与える情報であるため、遊技球が始動口に入賞した旨は必ず主制御部に伝達される。また、始動口への入賞は各種の演出にも影響を与えるため、遊技球が始動口に入賞した旨の情報は、主制御部から副制御部へと伝達される。その一方で、この情報が表す内容は、遊技球が始動口に入賞したという単純な事実を示すだけであるため、遊技機の機種についての情報を含めて一つのコマンドにまとめることが比較的容易である。このことから、遊技球が入賞したことと遊技機の機種とをまとめて一つのコマンドで表しておき、このコマンドを、遊技球が始動口に入賞する度に、機種コマンドとして副制御部に出力すれば、一つのコマンドを出力するだけでよいという利点を得ることも可能となる。
【００１９】
また、識別図柄を変動表示させる演出を行う遊技機では、識別図柄の変動表示が開始される度に、該変動表示を停止させるタイミングおよび遊技機の機種を表すコマンドを、機種コマンドとして副制御部に向かって出力することとしても良い。
【００２０】
識別図柄を変動表示させる演出は遊技の進行上、大きな位置づけを有していることから、識別図柄の変動表示を停止させるタイミングは、遊技の進行と同期を取っておく必要がある。このため主制御部は、副制御部に向かって識別図柄の変動表示の停止を指示している。もっとも、指示の内容は、変動表示を単に停止させるという単純な内容であるため、遊技機の機種についての情報を含めて一つのコマンドにまとめることが比較的容易である。このことから、識別図柄の変動表示の停止および遊技機の機種をまとめて一つのコマンドで表しておき、このコマンドを機種コマンドとして副制御部に出力すれば、一つのコマンドを出力するだけで足りるので好適である。
【００２１】
また、識別図柄の変動表示を停止させる動作は、遊技中に比較的頻繁に発生する動作であるため、変動表示の停止とともに遊技機の機種を副制御部に出力しておけば、たとえ遊技中に接続不良など何らかの原因で副制御部のみ瞬間的に電源供給が停止した場合でも、その後、比較的速やかに遊技機の機種を取得することができるという利点が得られる。
【００２２】
これらの遊技機においては、遊技の進行に合わせて主制御部から遊技コマンドが出力され、副制御部では、該遊技コマンドと受け取った機種コマンドとに基づいて、各種の演出を行うこととしても良い。
【００２３】
こうすれば、副制御部では、遊技の進行に伴って行われる各種演出の内容を、遊技機の機種に応じて変更することができるので、副制御部の類別を増やすことなく、機種に応じた適切な演出を行うことが可能となる。
【００２４】
また、こうした遊技機では、各機種についての演出の内容を、副制御部に予め記憶しておき、主制御部から出力された機種コマンドに応じて、機種に応じた演出内容を読み出して、各種の演出を行うこととしても良い。
【００２５】
こうすれば、遊技機の種類が追加されたり、あるいは演出の内容が変更された場合でも、副制御部の類別を増加させることなく柔軟に対応することができる。すなわち、例えば遊技機の機種が増加した場合には、副制御部に記憶しておく機種の種類を増やすだけで対応可能であり、また、機種毎の演出内容が変更された場合には、副制御部に記憶しておく演出内容を変更するだけで、柔軟に対応することが可能である。
【発明を実施するための最良の形態】
【００２６】
以下では、上述した本願発明の内容を明確にするために、次のような順序に従って実施例を説明する。
Ａ．パチンコ機の装置構成：
Ａ−１．全体構成：
Ａ−２．遊技盤の表面構造：
Ａ−３．裏面構造：
Ａ−４．パチンコ機の制御回路の構成：
Ｂ．賞球動作の概要：
Ｃ．第１実施例のパチンコ機の制御の概要：
Ｃ−１．初期化時の制御内容：
Ｃ−２．デモ演出時の制御内容：
Ｃ−３．遊技時の制御内容：
Ｃ−３−１．普通図柄制御ジョブ：
Ｃ−３−２．特別図柄制御ジョブ：
Ｃ−３−３．特別遊技関連ジョブ：
Ｃ−３−４．遊技中に行われる各種ルーチン：
Ｃ−３−５．特別遊技関連ルーチン：
Ｄ．第２実施例のパチンコ機の制御の概要：
Ｄ−１．初期化時の制御内容：
Ｄ−２．特別遊技時の制御内容：
Ｅ．遊技中機種指定コマンドの詳細：
Ｆ．第３実施例のパチンコ機の制御の概要：
【００２７】
Ａ．パチンコ機の装置構成：
本発明は、いわゆるパチンコ機、回胴式遊技機、アレンジボール遊技機、あるいは雀球遊技機などの弾球遊技機一般に適用することができるが、以下では、いわゆるデジパチと呼ばれるタイプのパチンコ機（弾球遊技機）を例にとって、具体的に説明する。
【００２８】
Ａ−１．全体構成：
先ず初めに、図１および図２を参照しながら本実施例のパチンコ機１の大まかな構造について説明する。図１は、パチンコ機１の前面側（すなわち、遊技者の側）から見たときのパチンコ機１の正面図である。また、図２は、パチンコ機１を斜め上方から見たときの斜視図である。図示されているように、パチンコ機１は主に、木製の板状体を略長方形の額縁状に組み立てて固着した外枠（本体枠とも言う）２と、外枠２の前面に開閉可能に軸支されたプラスチック製の中枠３と、中枠３の左端部で開閉可能に軸支されたプラスチック製の前面枠４と、前面枠４の下方に設けられた上皿部５および下皿部６と、中枠３の右側に設けられて前面枠４の施錠を行う施錠装置７と、中枠３の前面側に取り付けられた図示しない遊技盤などから構成されている。上皿部５は、前面枠４を施錠したときに前面枠４のちょうど下側に来る位置に、中枠３に対して開閉可能に軸着されている。また、下皿部６は、上皿部５の下方の位置で中枠３に取り付けられている。
【００２９】
図１に示されているように、前面枠４はパチンコ機１の前面の略２／３を占めており、そのほぼ中央部には略円形の開口部４ａが形成されている。後述する遊技領域は、この開口部４ａの内側に形成される。開口部４ａの左方には略円弧状の左ＬＥＤ表示部４ｂが、更にその外側上方には左上ＬＥＤ表示部４ｄが設けられ、一方、開口部４ａの右方には略円弧状の右ＬＥＤ表示部４ｃが、その外側上方には右上ＬＥＤ表示部４ｅが設けられている。また、開口部４ａの上方で且つ、左ＬＥＤ表示部４ｂおよび右ＬＥＤ表示部４ｃの間には、略円形状の中上ＬＥＤ表示部４ｆが２つ並べて配置されている。これら２つの中上ＬＥＤ表示部４ｆの間には、２つの賞球ＬＥＤ表示部４ｇが設けられている。これらのＬＥＤ表示部４ｄ〜４ｇは、遊技効果を高めることなどを目的として、遊技の進行に応じて点灯および消灯あるいは点滅する。また、賞球ＬＥＤ表示部４ｇの上方には、略扇形状のエラーＬＥＤ表示部４ｈが設けられている。更に、前面枠４の裏面側にはガラス枠４１ｓが取り付けられており、ガラス枠４１ｓには二枚のガラス板４１ｒが装着されている（図２参照のこと）。パチンコ機１の遊技者は、このガラス板４１ｒを介して遊技領域を目視することが可能となっている。遊技領域については、後ほど詳しく説明する。
【００３０】
前面枠４の下方に設けられた上皿部５には、複数の長孔を有する第１音声出力部５ｃと、皿外縁部５ａと、パチンコ機１の内部の遊技球を上皿部５に排出するための排出口５ｂなどが設けられている。第１音声出力部５ｃには、遊技状態に応じて効果音あるいは音声などを発生するためのスピーカー４００ａと、後述する音量スイッチ基板１２とが接続されている。尚、本実施例のスピーカー４００ａは、中高音用ユニット（ツィータ）および低音用ユニット（ウーハ）を含んだマルチウェイ方式とされており、第１音声出力部５ｃには、中高音用ユニット（ツィータ）が図示しないダクトを介して接続されている。また、低音用ユニット（ウーハ）は、後述する第２音声出力部６ｄに、図示しないダクトを介して接続されている。皿外縁部５ａには玉抜きボタンや遊技球の貸出・返却ボタンなどが設けられている。また、本実施例の上皿部５には、前面左端側の部位に、２つの操作スイッチＳＷ１およびＳＷ２が設けられている。更に、上皿部５には、貯留されている遊技球を発射装置に供給するための図示しない供給装置や、遊技球を発射するための図示しない発射装置ユニットなどが設けられている。
【００３１】
上皿部５の下方に設けられた下皿部６には、略中央部に排出口６ａが設けられており、下皿部６の左端には灰皿６ｂが、右端には発射ハンドル９が設けられている。排出口６ａからは、パチンコ機１の内部から下皿部６に遊技球が排出されてくる。また、下皿部６の底面には図示しない球抜き孔が設けられている。球抜き孔は通常時には閉鎖されているが、下皿部６の略中央手前側に設けられた排出ノブ６ｃを操作して球抜き孔を開放状態とすれば、下皿部６に貯留された遊技球をパチンコ機１から排出することができる。排出ノブ６ｃは、プルロック式のノブであり、通常は直立状態となっている。そして、排出ノブ６ｃの上端を手前側に倒すと、ノブの動きに連動して球抜き孔が開放状態となり、下皿部６から遊技球が排出される。また、遊技者が排出ノブ６ｃを押すとノブのロックが解除され、排出ノブ６ｃを直立状態に戻して、球抜き孔を閉鎖状態に戻すことができる。この排出ノブ６ｃの右側下面および左側下面には、前述した第２音声出力部６ｄが設けられている。
【００３２】
発射ハンドル９は、遊技領域に向かって遊技球を射出する図示しない発射装置ユニットに接続されており、パチンコ機１の遊技者は発射ハンドル９を操作することによって遊技球の発射動作を制御することができる。発射ハンドル９には、遊技者がハンドルに触れていることを検出するタッチスイッチ９ａが装着されており、その近傍には、遊技球の発射を一時的に停止するための発射停止スイッチ９ｂが装着されている。また、パチンコ機１の左端側には、プリペイドカードユニット１３が設けられている。
【００３３】
次に、図２を参照しながら、中枠３の構成について説明する。中枠３は、枠体部３ａと下板部３ｂとを備えている。このうち枠体部３ａは、前述した前面枠４を施錠すると前面枠４がちょうど覆い被さるような位置に、すなわち中枠３の上端から下方に向かって略２／３の大きさを占める位置に設けられている。また、下板部３ｂは、上皿部５および下皿部６に対応する位置、すなわち中枠３の下端から上方に向かって略１／３の大きさを占める位置に設けられている。
【００３４】
枠体部３ａの上部には、前面枠４の枠飾りランプ用レンズ４ｂに対応する位置に、図示しない複数個の遊技効果ランプと、前面枠４の枠飾りＬＥＤ用レンズ４ｃに対応する位置に、図示しない賞球表示ＬＥＤと、同じく枠飾りＬＥＤ用レンズ４ｅに対応する位置に、図示しないストップ表示ＬＥＤなどが設けられている。更に枠体部３ａには、遊技効果ランプの点滅を制御するための枠飾りランプ基板４ｇと、賞球表示ＬＥＤの点滅を制御するための賞球表示ＬＥＤ基板４ｄと、ストップ表示ＬＥＤの点滅を制御するストップ表示ＬＥＤ基板４ｆなどの各種基板も取り付けられている。これら基板の詳細については後述する。
【００３５】
ここで、図１に示した各種のＬＥＤ表示部４ｂ〜４ｈを駆動する各種ＬＥＤ基板の位置関係について説明する。図３は、各種ＬＥＤ基板４ｉ〜４ｏの位置関係を示す説明図である。図示されている各種ＬＥＤ基板４ｉ〜４ｏは、中枠３の枠体部において、上述の各種ＬＥＤ表示部４ｂ〜４ｈに対応する位置に設けられている。具体的には、左ＬＥＤ基板４ｉは左ＬＥＤ表示部４ｂに対応し、右ＬＥＤ基板４ｊは右ＬＥＤ表示部４ｃに対応し、左上ＬＥＤ基板４ｋは左上ＬＥＤ表示部４ｄに対応し、右上ＬＥＤ基板４ｌは右上ＬＥＤ表示部４ｅに対応している。また、中上ＬＥＤ基板４ｍは中上ＬＥＤ表示部４ｆに対応し、賞球ＬＥＤ基板４ｎは賞球ＬＥＤ表示部４ｇに対応し、エラーＬＥＤ基板４ｏはエラーＬＥＤ表示部４ｈに対応している。
【００３６】
Ａ−２．遊技盤の表面構造：
次に、遊技盤１０の構成について説明する。図４は、遊技盤１０の表面の構造を示した説明図である。図示するように遊技盤１０は、木製で略長方形の板状体であって、中枠３の表面側に着脱可能に取り付けられているとともに、その背面側は後述する裏機構盤１０２（図６参照）によって覆われている。遊技盤１０の表面には外レール１４と内レール１５とが設けられており、これらレールに囲まれた部分に、略円形状の遊技領域１１が形成されている。
【００３７】
遊技領域１１内には、略中央部に設けられて特別図柄表示装置２７を備えた中央装置２６と、遊技領域１１の下部に設けられた変動入賞装置１８と、中央装置２６と変動入賞装置１８との間に設けられた始動口（普通電動役物）１７と、変動入賞装置１８の左上方および右上方にそれぞれ設けられた左入賞口１９および右入賞口２０などが備えられている。尚、以下では、普通電動役物を単に「始動口」と呼ぶことがあるものとする。また、左入賞口１９と始動口１７との間には普通図柄作動左ゲート３６が、右入賞口２０と始動口１７との間には普通図柄作動右ゲート３７が設けられている。更に、中央装置２６の左右には一対のランプ風車２４，２５が設けられ、遊技領域１１の左右両端部には縦円弧状の一対のサイドランプ３８、３９がそれぞれ相対称状に配設されている。これら各遊技装置の間および周辺には、多数の障害釘２３が設けられている。尚、本実施例の特別図柄表示装置２７は、本発明における図柄表示手段の一態様を構成している。
【００３８】
中央装置２６には、その中央には前述の特別図柄表示装置２７が設けられ、上部には普通図柄表示装置３２が、そして特別図柄表示装置２７と普通図柄表示装置３２との間には、４個の赤色ＬＥＤから構成された特別図柄保留表示ＬＥＤ１６ａが設けられている。また、普通図柄表示装置３２には、７セグメント表示器３２ａと、普通図柄保留表示ＬＥＤ３２ｂとが設けられている。７セグメント表示器３２ａは１〜９の数字を変動表示可能となっており、前述した普通図柄作動左ゲート３６あるいは普通図柄作動右ゲート３７を遊技球が通過すると、変動表示を開始して、所定時間経過後に任意の数字で停止する。この時、停止した表示が所定の数字の場合には、始動口（普通電動役物）１７が所定時間（例えば０．５秒）開放するようになっている。
【００３９】
普通図柄保留表示ＬＥＤ３２ｂも、特別図柄保留表示ＬＥＤ１６ａと同様に４個の丸形の赤色ＬＥＤで構成されており、７セグメント表示器３２ａの左右に２つずつ設けられている。７セグメント表示器３２ａの変動表示中に、遊技球が普通図柄作動左ゲート３６あるいは普通図柄作動右ゲート３７を通過した場合には、遊技球が通過したことを最大４個まで記憶しておき、現在の変動表示の停止後に、続いて７セグメント表示器３２ａの変動表示を行うことが可能となっている。
【００４０】
中央装置２６の略中央（普通図柄表示装置３２の下方）に設けられた表示装置としての特別図柄表示装置２７の表面には、大きさが縦５０〜１２０ｍｍ、横８０〜２００ｍｍで平面略矩形状の表示画面２７１が設けられており、表示画面２７１には、下縁側に横長に形成された主表示領域２７１Ａと、表示画面２７１の大部分を占める演出用表示領域２７１Ｂとが設けられている。このうち、主表示領域２７１Ａには、右端寄りの部分に本図柄表示部が形成され、略中央には特別図柄保留表示部が形成されている。なお、本図柄とは、識別図柄としての特別図柄の一態様である。また、演出用表示領域２７１Ｂには、左・中・右の３つ表示部と、その他の部分で構成される背景画面表示部とが形成されており、左・中・右の３つ表示部には、それぞれ左図柄・中図柄・右図柄の３つの特別図柄（識別図柄）を変動表示することが可能となっている。なお、演出用表示領域２７１Ｂに表示される３つの特別図柄は、朱表示領域２７１Ａにて表示される本図柄と連動する演出用の識別図柄であり、以下、擬似図柄と表示することがある。この特別図柄表示装置２７では、遊技者にとって有利な特別遊技状態を成立させるか否かの抽選結果の表示が、特別図柄（本図柄及び擬似図柄）の変動表示および停止表示によって行われる。
【００４１】
これら特別図柄の変動表示は、始動口（普通電動役物）１７に遊技球が入賞することによって開始されるが、特別図柄の変動表示中に遊技球が入賞した場合には、最大４つまでの始動口１７への入賞が、特別図柄表示装置２７にて抽選結果の表示が未実施である保留として蓄えられる。特別図柄保留表示ＬＥＤ１６ａは、こうした保留が発生するたびに赤色ＬＥＤが順次シフトしながら点灯する。また、次の特別図柄の変動が開始されると、そのたびに保留数が消化されて点灯中の赤色ＬＥＤが一つ消灯する。このように特別図柄保留表示ＬＥＤ１６ａは、現在の保留数を表示する機能を有している。特別図柄の変動表示の詳細な内容については後述する。
【００４２】
変動入賞装置１８は、大入賞装置３１と、その左右に左下入賞口２１および右下入賞口２２とがそれぞれ設けられており、左下入賞口２１の下方には複数個の左下入賞口ＬＥＤ２２３が、また、右下入賞口２２の下方には複数個の右下入賞口ＬＥＤ２２４が設けられている。これらＬＥＤは飾りレンズによって覆われており、左下入賞口ＬＥＤ基板２１ｆ（図６参照）および右下入賞口ＬＥＤ基板２２ｆ（図６参照）によって点滅動作が制御されている。大入賞装置３１を初めとして、これら全ては、前面側が略逆台形状に形成された基板３４に装着されている。また、左下入賞口２１の内部には左下入賞口通過検知スイッチ２１ｓ（図６参照）が、右下入賞口２２の内部に右下入賞口通過検知スイッチ２２ｓ（図６参照）が設けられている。
【００４３】
大入賞装置３１は、略中央に形成されて帯状に開口した大入賞口３１１と、この大入賞口３１１を開放・閉鎖する開閉板３１２と、この開閉板３１２を開閉するための大入賞口ソレノイド３１３（図６参照）と、大入賞口３１１に入賞した後に遊技球が通過する特定領域（Ｖ入賞口及び一般入賞口／図示略）と、図示しない連動杆と、入賞球を検知する入賞球検知スイッチ３１８（図６参照）と、裏箱（図示略）と、大入賞口中継基板（図示略）などから構成されている。前述した特別図柄表示装置２７の表示画面２７１で特別図柄の変動表示が開始され、所定の図柄で停止表示すると、遊技者にとって有利な特別遊技状態となって大入賞口３１１が開放される。ここで開閉板３１２および大入賞口ソレノイド３１３は、大入賞口開閉手段を構成している。
【００４４】
始動口（普通電動役物）１７は、左右に一対の翼片部が開閉可能に構成されたいわゆるチューリップ式の始動口であり、その前面に設けられた飾りとともに、基板３４に取り付けられている。始動口１７の内部には、遊技球の通過を検出する始動口（普通電動役物）入賞検知スイッチ１７ｓ（図６参照）と、翼片部を作動させるための始動口（普通電動役物）ソレノイド１７ｃ（図６参照）とが備えられている。一対の翼片部が左右に開くと、遊技球の入賞可能性が大きくなる開放状態となり、一対の翼片部が立設され、遊技球の入賞可能性が小さくなる通常状態となる。
【００４５】
翼片部の開閉は次のようにして行われる。始動口１７の左右に設けられた普通図柄作動左ゲート３６、普通図柄作動右ゲート３７のいずれかを遊技球が通過すると、普通図柄作動左ゲート３６および普通図柄作動右ゲート３７の内部にそれぞれ設けられた左、右普通図柄作動ゲート検知スイッチ３６ｓ、３７ｓ（図６参照）で検出され、普通図柄表示装置３２に設けられた７セグメント表示器３２ａの変動表示が開始される。そして、所定時間経過後に、７セグメント表示器３２ａが所定の図柄で停止表示すると、所定時間（例えば、０．５秒間）だけ始動口１７の翼片部が開放される。
【００４６】
前述したように、特別図柄表示装置２７における特別図柄の変動表示は始動口（普通電動役物）１７に遊技球が入賞することによって開始され、特別図柄が所定の図柄で停止表示すると大入賞口３１１が開放される。従って、遊技球が普通図柄作動左ゲート３６あるいは普通図柄作動右ゲート３７を通過し、７セグメント表示器３２ａに所定の図柄が表示されると、始動口１７が開放状態となって入賞し易くなり、特別図柄の変動が頻繁に開始され、延いては大入賞口３１１が開放し易くなる。
【００４７】
また、変動入賞装置１８の上方左右に取り付けられた左入賞口１９および右入賞口２０の内部には、それぞれ左入賞口通過検知スイッチ１９ｓ（図６参照）、右入賞口通過検知スイッチ２０ｓ（図６参照）が設けられている。
【００４８】
遊技盤１０の下方にはアウト口４８が設けられ、そのアウト口４８の下部にはバック球防止部材５８が設けられており、遊技領域１１に到達せず戻ってきた遊技球が再び発射位置に戻ることを防止している。一方、ファール球防止部材５９は、内レール１５の先端部に取り付けられ、返しゴム６０は、ファール球防止部材５９の位置とは略正反対側の、遊技盤１０の右半分側の位置であって、外レール１４に沿って嵌合状に取り付けられている。
【００４９】
以上、パチンコ機１の表面構造について説明したが、最後に上皿部５の前面左端部に設けられた２つの操作スイッチＳＷ１，ＳＷ２の働きについて説明しておく。操作スイッチＳＷ１、ＳＷ２は、表示画面２７１で表示される演出の形態を、選択する作用を有している。つまり、遊技者が、この操作スイッチＳＷ１、ＳＷ２を操作すると、所定の条件の下、表示画面２７１で表示される演出の形態を変更することができる。このため、遊技者は、あたかも、表示画面２７１で表示される演出に実際に参加しているような気分を味わうことができる。
【００５０】
本パチンコ機１では、２つの操作スイッチＳＷ１、ＳＷ２を備えると共に、一方の操作スイッチ（以下、「第１の操作スイッチ」という。）ＳＷ１が「演出モードの選択用スイッチ」とされ、他方の操作スイッチ（以下、「第２の操作スイッチ」という。）ＳＷ２が「演出モードの確定用スイッチ」とされている。後述する疑似図柄表示が変動しているときに、遊技者が第１の操作スイッチＳＷ１を操作すると、図柄の背景を変更するための表示が点滅を開始し、点滅を介してから所定の時間（例えば、５秒）内に、第２の操作スイッチＳＷ２を操作すると、複数種類（例えば、１０種類）の背景図柄から所望の背景を選択することができる。
【００５１】
また、図柄の背景を変更するための表示が点滅状態となった後に、当該所定の時間（例えば、５秒）内に、第１の操作スイッチＳＷ１を再び操作すると、キャラクターを選択するための表示が点滅を開始し、点滅状態となってから所定の時間（例えば、５秒）内に、第２の操作スイッチＳＷ２を操作すると、複数種類（例えば、３種類）のキャクター図柄から所望のキャクターを選択することができる。更に、背景やキャクターを変更するための表示部分が点滅状態となってから所定の時間（例えば、５秒）放置すると、これらの点滅状態を終了し、現在選択している背景やキャラクターがそのまま選択され続けることになる。
【００５２】
また、後述する疑似図柄表示がリーチ表示を行っているときや、表示画面２７１でいわゆる予告表示を行った後に、操作スイッチ（ＳＷ１及びＳＷ２のうちの少なくとも一方）を操作すると、これらの表示の信頼性（実際の大当りとなる確率）を示す表示が表示画面２７１内に現れる。
【００５３】
ここで、本パチンコ機１が、複数段階で発展する「発展型」のリーチ表示を行う場合には、操作スイッチ（ＳＷ１及びＳＷ２のうちの少なくとも一方）を以下のように用いることもできる。即ち、疑似図柄で発展のリーチ表示がなされる場合には、リーチ表示が発展するに従って表示する信頼度を高めることで、本パチンコ機１の遊技上の興趣をより一層高めることができる。例えば、信頼度が「３０％」の「発展型」のリーチ表示において、発展の初期段階に操作スイッチ（ＳＷ１及びＳＷ２のうちの少なくとも一方）を操作すると、リーチ表示の信頼度として実際よりも低い信頼度を表示する（例えば、１０％）。そして、発展の中期段階に、操作スイッチを操作すると、初期段階のリーチ表示の場合よりも、高い値を示すが、実際よりも低い信頼度を表示する（例えば、２０％）。更に、発展の最終段階で、操作スイッチを操作すると、実際の信頼度を表示することとすれば、遊技者は、リーチ表示の発展に沿って上昇する信頼度を、期待感をもって認識することができる。
【００５４】
但し、遊技者がパチンコ機１によって行われる演出に参加するための参加手段は、この操作スイッチＳＷ１、ＳＷ２に限定されるものではない。例えば、このような操作スイッチＳＷ１、ＳＷ２や参加手段を遊技者が操作することで、スピーカー４００ａから発音される効果音を変更可能とすることもできる。
【００５５】
Ａ−３．裏面構造：
次に、パチンコ機１の裏面構造について説明する。図５は、本実施例のパチンコ機１の裏面構造を示した説明図である。本実施例では、パチンコ機１の裏面構造は、大きな裏機構盤１０２の上に各種装置が搭載された構造となっており、裏機構盤１０２は、一対のヒンジ１０３によって中枠３に開閉可能に軸支されている。図５では、ヒンジ１０３は、中枠３右側の上端付近および下端付近に示されている。
【００５６】
裏機構盤１０２には、遊技球が蓄えられる賞球タンク１０５と、賞球の払出を行う賞球払出装置１０９と、前述した液晶表示装置２７が格納された蓋付きの裏ケース１１１と、後述する主制御基板３４０が格納された主制御基板ケース１１２と、前述した発射装置ユニットを制御する発射装置制御基板が格納された発射装置制御基板ケース１１３と、賞球払出装置１０９を制御する払出制御基板が格納された払出制御基板ケース１１８と、主制御基板３４０と各種スイッチ類とを中継する中継基板１９０などが搭載されている。
【００５７】
賞球タンク１０５には底部にタンク球切れ検知スイッチ１０４が設けられており、球切れを検出することができる。賞球タンク１０５と賞球払出装置１０９とは、タンクレール１０６によって接続されており、図上でタンクレール１０６の右側には球抜きレバー１０７が設けられ、またタンクレール１０６の下流側には図示しない補給球切れ検知スイッチが設けられている。更に、賞球払出装置１０９の下流側には、球技球の振り分け部が設けられている。尚、図５では、図示が煩雑となることを避けるために、振り分け部の表示は省略されている。
【００５８】
また、主制御基板ケース１１２、中継基板１９０や、払出制御基板ケース１１８などの各種基板は、裏機構盤１０２に回動自在に懸架された図示しない金属板に、着脱自在に装着されている。
【００５９】
裏機構盤１０２の右上端部には、ヒューズボックス１１９、電源スイッチ１２０、電源ターミナル基板１２１および大当り、発射装置制御、球切れ、扉開放、賞球、球貸し用等の遊技機枠用外部接続端子を備えた端子基板１２２が設けられている。尚、電源ターミナル基板１２１には、ラムクリア信号を発生させるためのラムクリアスイッチ（図示を省略）を接続してもよい。また、端子基板１２２の上側には、外部からの電力の供給を受けるための電源ケーブル１２３も配設されている。更に、払出制御基板ケース１１８からは接続ケーブル１２４が上方へ延出し、電源ケーブル１２５を備えたプリペイドカードユニット１３に接続されている。また、裏機構盤１０２の略中央下端部には、下皿部用球通路部材１２６が設けられている。
【００６０】
Ａ−４．パチンコ機の制御回路の構成：
次に、本実施例のパチンコ機１の制御回路の構成について説明する。図６は、本実施例のパチンコ機１に搭載された電子制御装置１３０における制御回路の構成を示したブロック図である。図示されているように、電子制御装置１３０は、その機能に着目すると、主制御部１４０と、複数の副制御部とから構成されている。また副制御部は、主制御部１４０に直接に接続された第１次副制御部と、第１次副制御部を介して主制御部１４０に接続された第２次副制御部とから構成されている。主制御部１４０と第１次副制御部とは信号伝送経路５００ａによって接続されている。尚、パチンコ機の機種によっては、第１次副制御部と第２次副制御部とを介して主制御部１４０に接続される第３次副制御部が設けられている場合もある。
【００６１】
図示されているように、本実施例の電子制御装置１３０には、第１次副制御部として、払出制御部１５０と音声・ランプ制御部１７０とが設けられており、第２次制御部として、払出制御部１５０に接続された発射装置制御部１９３と、音声・ランプ制御部１７０に接続された図柄制御部１６０とが設けられている。
【００６２】
主制御部１４０から、払出制御部１５０および音声・ランプ制御部１７０へは、一方向形式若しくは双方向形式でデータが伝送される。また、本実施例では音声・ランプ制御部１７０から図柄制御部１６０へも一方向形式でデータが伝送されるものとして説明するが、音声・ランプ制御部１７０と図柄制御部１６０との間では双方向形式でデータを伝送することとしてもよい。
【００６３】
また、図６に示した破線の矢印は、各制御部１４０ないし１８０への電源供給経路を表している。図示されているように、電源は先ず初めに電源受電基板４１０に供給され、電源ユニット４２０で所定電圧に変換された後、分電基板４３０から各制御部１４０ないし１８０に電力が供給される。更に、電源投入時には、後述するシステムリセット信号が全制御基板に送信される。
【００６４】
詳細には後述するが、主制御部１４０は各種スイッチや検知器などからの情報を受け取って所定の演算を行った後、払出制御部１５０や音声・ランプ制御部１７０に各種のコマンドを出力するとともに、各種の基板やソレノイドなどに駆動信号を出力する。以下では、主制御部１４０や、払出制御部１５０、音声・ランプ制御部１７０、図柄制御部１６０、各種基板などの構成について順番に説明する。
【００６５】
主制御部１４０は、主制御基板ケース１１２に格納された主制御基板３４０によって主に構成されており、主制御基板ケース１１２は、不正行為者が容易に開閉できないような構造に形成されている。図７は、主制御基板３４０の構成を概念的に示した説明図である。図示されているように、主制御基板３４０は、ＣＰＵ４０１を含む主回路部４００と入出力回路部５００とが、バスで接続されて相互にデータをやりとり可能に構成されている。主回路部４００には、ＣＰＵ４０１と、発振部４１０と、リセット回路部４５０と、Ｉ／Ｏデコード回路部４２０と、データバス安定化部４１１と、第１外部入力回路部４３０などが設けられている。
【００６６】
図８は、ＣＰＵ４０１の詳細な構造を示した説明図である。図８に示すようにＣＰＵ４０１は、ＣＰＵコア４８０と、内蔵ＲＡＭ４８１と、内蔵ＲＯＭ４８２と、メモリ制御回路４８３と、クロック発生器４８４と、アドレスデコーダ４８５と、ウオッチドッグタイマ４８６と、カウンタ／タイマ４８７と、パラレル入出力ポート４８８と、リセット／割り込みコントローラ４８９と、外部バスインターフェース４９０と、出力制御回路４９１などから構成されている。ＣＰＵ４０１は、ワークエリアとしてＲＡＭ４８１を使用しながら、ＲＯＭ４８２に格納された制御プログラムを実行することにより、パチンコ機１全体の作動制御（すなわち、遊技の基本進行制御）を司るとともに、ＲＯＭ４８２に記憶された当否判定プログラムを実行することにより、当否判断制御を行う。
【００６７】
上述した主回路部４００とともに主制御基板３４０を構成する入出力回路部５００には、外部端子部１４５が接続されており、この外部端子部１４５によってパチンコホールの「ホールコンピューター」に接続されている。主制御基板３４０はＲＡＭクリア処理を実行するに際して、ＲＡＭクリア信号をＯＮにした後、一定時間経過後に再びＯＦＦとする動作を行うが、このＲＡＭクリア信号は外部端子部１４５を介してパチンコホールのシステム等に報知されている。このため、不正行為者によってＲＡＭクリア処理が実行された場合には、不正行為者に悟られることなく、パチンコホールの管理者側で不正行為を検知することが可能となっている。
【００６８】
入出力回路部５００には、信号伝送経路５００ａを介して払出制御部１５０および音声・ランプ制御部１７０が接続されている（図６参照）。入出力回路部５００は、払出制御部１５０や音声・ランプ制御部１７０での処理内容を指示する指令信号たるコマンドデータを、信号伝送経路５００ａを介して払出制御部１５０あるいは音声・ランプ制御部１７０に出力する。また、入出力回路部５００からは、図柄制御部１６０での処理内容を指示するコマンドデータも出力される。図柄制御部１６０に対するコマンドデータは、一旦、音声・ランプ制御部１７０に向けて出力された後、音声・ランプ制御部１７０から信号伝達経路５００ｂを経由して図柄制御部１６０に供給される。
【００６９】
加えて入出力回路部５００には、始動口（普通電動役物）入賞検知器（入賞検知スイッチ）１７ｓや、普通図柄表示装置基板３２ｆ、各種ソレノイド１７ｃ，３１３、右普通図柄作動ゲート通過検知器（右普通図柄作動ゲート通過検知スイッチ）３７ｓ、左普通図柄作動ゲート通過検知器（左普通図柄作動ゲート通過検知スイッチ）３６ｓなどが接続されている。
【００７０】
尚、本実施例では、主制御部１４０が格納されたプログラムに従って所定のコマンドを出力することによって、「機種コマンド出力手段」、「遊技コマンド出力手段」などが実現されている。
【００７１】
次に、払出制御部１５０の構成について説明する。払出制御部１５０は、払出制御基板ケース１１８に格納された払出制御基板３５０によって主に構成されている。図９は、払出制御基板３５０の構成を概念的に示した説明図である。前述した主制御基板３４０と同様に払出制御基板３５０も、主回路部６００と入出力回路部７００とがバスで相互にデータをやりとり可能に接続されて構成されている。入出力回路部７００には信号伝送経路５００ａが接続されており、主制御基板３４０から出力された前述のコマンドデータは信号伝送経路５００ａを介して入出力回路部７００に入力される。また、入出力回路部７００には、賞球払出装置１０９や発射装置制御部１９３なども接続されている。
【００７２】
音声・ランプ制御部１７０は、スピーカー４００ａやランプ等の制御を主に行うための制御基板３７０と、制御基板３７０からの命令を受けて、ランプ等に駆動信号を出力するための駆動基板３８０の、主に２つの基板から構成されている。図１０は、音声・ランプ制御部１７０の構成を概念的に示した説明図である。制御基板部３７０には、演算回路構成要素として、ＣＰＵ１７１と、ＲＡＭ１７２と、ＲＯＭ１７３と、入出力ポート１７４と、サウンドジェネレータ１７６と、コネクタＣＮ１が設けられており、これらがバス１７５で相互にデータをやりとり可能に接続されている。サウンドジェネレータ１７６は、予め記憶された音声データをゲームの進行に合わせて再生することで、スピーカー４００ａから各種の音声を出力する。尚、スピーカー４００ａから出力される音量は、音量スイッチ基板１２によって調整可能となっている。
【００７３】
また、入出力ポート１７４には信号伝送経路５００ａが接続されている。前述した主制御部１４０が、特別図柄の変動・停止、リーチ発生、リーチ表示の態様、特別遊技態様、確率変動や時短などの遊技モードを指示する制御命令を出力すると、出力された各種の制御命令は信号伝送経路５００ａを介して入出力ポート１７４に入力される。制御基板３７０では、こうして制御命令を受け取ると、ＲＯＭ１７３に予め記憶されているプログラムに従って所定の処理を行い、駆動基板３８０に向かって各種の命令を出力する。制御基板３７０と駆動基板３８０とは、コネクタＣＮ１とコネクタＣＮ２とで互いに接続されている。
【００７４】
駆動基板３８０には、各種ＬＥＤやランプなどを駆動するための駆動信号を発生させる駆動回路部３８２と、発生した駆動信号を、各種ＬＥＤ基板４ｄ，４ｆ，１９ｆ〜２２ｆや、各種ランプ基板２１６ｆ，２６２ｆ、枠飾り基板４ｇなどに出力するためのコネクタ出力部３８４とが設けられている。これら各基板にランプあるいはＬＥＤ等が１個または複数個接続されており、コネクタ出力部３８４から供給される駆動信号により、ゲームの進行に対応して点灯・消灯または点滅する。尚、コネクタ出力部３８４を、駆動回路部３８２とは別基板に設ける構成としても良い。こうすることで、各種ＬＥＤなどのランプの数や色が変更されても駆動回路部３８２の変更を要しない場合には、コネクタ出力部３８４のみを変更して対応することが可能となる。
【００７５】
また、パチンコ機１に、モータなどによって駆動される可動式役物が設けられている場合には、モータを駆動するための駆動回路を、駆動回路部３８２あるいはコネクタ出力部３８４に搭載することとしても良い。こうすれば、可動式役物の有無もしくは個数が変更された場合でも、容易に対応することが可能となる。
【００７６】
図柄制御部１６０は、特別図柄制御基板３６０によって主に構成されている。図１１は、図柄制御部１６０の構成を概念的に示した説明図である。図示されているように図柄制御部１６０は、演算回路構成要素としてＣＰＵ１６１と、ＲＡＭ１６２と、ＲＯＭ１６３と、入出力ポート１６４と、駆動回路１６６とを備えており、これら演算回路構成要素がバス１６５により接続されて相互にデータをやりとり可能に構成されている。入出力ポート１６４には、信号伝送経路５００ａや特別図柄表示装置２７が接続されている。ＣＰＵ１６１は、ＲＡＭ１６２をワークエリアとして使用しながら、ＲＯＭ１６３に格納された制御プログラムを実行することにより、中央表示装置２６の制御を行っている。
【００７７】
中継基板１９０には、入賞球検知スイッチ３１８，１９ｓ〜２２ｓ等が接続されており、中継基板１９０の出力端子は、主制御部１４０の入出力回路部５００と接続されている。
【００７８】
払出用端子基板１９１には、タッチスイッチ９ａ、発射停止スイッチ９ｂ、ヴォリュームスイッチ１９２、タンク球切れ検知スイッチ１０４及び補給球切れ検知スイッチ１０８等が接続され、払出用端子基板１９１の出力端子は、図９に示す払出制御部１５０の入出力回路部１５３に接続されている。
【００７９】
以上のような構成の本実施例の電子制御装置１３０においては、遊技球が始動口１７に入賞すると、その情報が始動口入賞検知スイッチ１７ｓによって検知されて、主制御部１４０に入力される。遊技球が普通図柄作動左ゲート３６あるいは普通図柄作動右ゲート３７を通過すると、その情報が普通図柄作動口通過検知器３６ｓ，３７ｓにより検知されて、主制御部１４０に入力される。また、入賞球検知スイッチ１９ｓ〜２２ｓ，３１８で遊技球の入賞が検知されると、その情報は、中継基板１９０を介して主制御部１４０に入力される。主制御部１４０は、これらの情報を受け取って、変動コマンド、停止図柄コマンド、及び変動停止コマンドを送信する。これらのコマンドは、信号伝送経路５００ａ、音声・ランプ制御部１７０、信号伝送経路５００ｂを経由して図柄制御部１６０に供給される。図柄制御部１６０では、変動コマンドを受けとると、複数の変動態様から乱数等による抽選を行って変動態様を決定する。また、主制御部１４０は、図柄制御部１６０に出力するコマンドに同期させて、音声・ランプ制御部１７０にも所定のコマンドを送信する。こうして、図柄の表示と音声の出力とを併せて行うことによって各種の演出を行う。
【００８０】
Ｂ．賞球動作の概要：
次に、本実施例のパチンコ機１の賞球動作について簡単に説明する。遊技球が大入賞口３１１に入賞すると、大入賞口３１１の内部に設けられた入賞球検知スイッチ３１８がこれを検知して、入賞を知らせる信号を信号ケーブルを介して主制御部１４０に出力する。信号を受け取ると、主制御部１４０は後述する処理を行って、払出制御部１５０に向かって１５個分の遊技球を払い出す旨のコマンドを出力する。また、遊技球が始動口（普通電動役物）１７に入賞した場合は、始動口の内部に設けられた始動口入賞検知スイッチ１７ｓがこれを検知して、信号を信号ケーブルを介して主制御部１４０に出力する。この信号を受けて主制御部１４０は、後述する処理を行った後、６個分の遊技球を払い出す旨のコマンドを払出制御部１５０に向かって出力する。左右下入賞口など、他の入賞口に入賞した場合は、内部に設けられた通過検出スイッチが入賞を検知して、入賞した旨の信号を信号ケーブルを介して主制御部１４０に出力する。主制御部１４０は、後述する処理を行って１０個分の遊技球を払い出す旨のコマンドを払出制御部１５０に向かって出力する。これら賞球コマンドは、払出制御部１５０を作動指令対象とする指令信号として、遊技球の通過を検知した順番に従って信号伝送経路５００ａを介して送信される。払出制御部１５０は、こうして主制御部１４０から賞球コマンドを受け取って、賞球払出信号を出力することにより、賞球払出装置１０９を作動させて指示された個数分の賞球動作を行う。
【００８１】
また、主制御部１４０は、上述した各種検知スイッチの出力に基づいて遊技状態を判断し、また、その遊技状態に基づいて当否判定を行うとともに、判定内容に応じて対応する図柄表示態様で画像表示制御を行うためのデータを読み込む。例えば、主制御部１４０は、始動口（普通電動役物）入賞検知スイッチ１７ｓ、入賞球検知スイッチ３１８等の検知結果や、特別図柄当否判定乱数の取得値などを使用して、「遊技が行われていない客待ちの状態」、「遊技は行われているが始動入賞がない状態（変動準備状態）」、「始動入賞があった状態」、および「特別遊技状態」などを判断する。また主制御部１４０は、始動入賞を検知すると乱数値に基づいて、遊技者にとって有利な特別遊技状態を発生させるか否かの当否判定（特別図柄の当否判定）を行い、その判定結果に基づいて特別図柄の変動（リーチ表示態様を含む）や確定などの表示態様制御を行うための各種コマンドを出力する。これらコマンドは、前述した信号伝送経路５００ａを介して一旦、音声・ランプ制御部１７０に出力された後、音声・ランプ制御部１７０から信号伝送経路５００ｂを介して図柄制御部１６０に送信される。
【００８２】
Ｃ．第１実施例のパチンコ機の制御の概要：
次に、上述した電子制御装置１３０によって実行されるパチンコ機１の制御の内容について説明する。図６を用いて説明したように、電子制御装置１３０は、主制御部１４０を中心として、音声・ランプ制御部１７０、図柄制御部１６０、払出制御部１５０などによって構成されている。主制御部１４０は、パチンコ機１における遊技全体の進行を制御する。また、音声・ランプ制御部１７０や図柄制御部１６０、払出制御部１５０などは、主制御部１４０からの各種コマンドを受け取って、それぞれの処理を行う。このように、パチンコ機１は、主制御部１４０、音声・ランプ制御部１７０、図柄制御部１６０、払出制御部１５０などが役割分担しながら、それぞれの処理を並行して実行することで、全体として遊技が進行するように構成されている。以下では、これら各制御部が行う処理について説明するが、理解の便宜を図るために、主制御部１４０で実行される処理は「ジョブ」と呼び、音声・ランプ制御部１７０や、図柄制御部１６０などで実行される処理は「ルーチン」と呼んで区別するものとする。
【００８３】
図１２は、主制御部メインジョブの流れを示すフローチャートである。かかるジョブは、主制御部１４０に搭載された主制御基板３４０によって実行されるジョブであり、パチンコ機１における遊技全体の進行を制御する根幹をなすジョブである。主制御部メインジョブは、パチンコ機１の電源が投入され、あるいはリセットスイッチが押された時に、主回路部４０１に内蔵されたＣＰＵ４８０が内蔵ＲＯＭ４８２のブート領域に格納されているプログラムを読み出すことによって、自動的に開始される。パチンコ機１では主制御部メインジョブ以外にも多数のジョブが存在するが、これらジョブの多くは、所定の条件が成立すると主制御部メインジョブから呼び出されることによって実行される。以下では、図１２のフローチャートに従って、主制御部メインジョブについて説明する。
【００８４】
Ｃ−１．初期化時の制御内容：
主制御部メインジョブを開始すると、先ず初めに初期化ジョブを実施する（Ｓ１０）。図１３は初期化ジョブの流れを示したフローチャートである。初期化ジョブでは、電源投入時に行われる所定の各種処理を行う（Ｓ１２）。ここで、各種の処理とは、ＣＰＵ４８０の動作チェックや割込モードの設定、カウンタ／タイマ４８７、ウォッチドッグタイマ４８６、パラレル入出力ポート４８８など、図８に示した主回路部４０１を構成する各種ディバイスを初期化する処理、更には、音声・ランプ制御部１７０や、払出制御部１５０、図柄制御部１６０などの各制御部を初期化する処理である。
【００８５】
次いで、主制御部１４０は、自らの機種あるいは遊技機としてのスペックの類別を指定するコマンド（機種指定コマンド）を、音声・ランプ制御部１７０に向かって出力する（Ｓ１０４）。尚、遊技機としてのスペックとは、後述する特別遊技状態を何ラウンドまで行うか、あるいは、いわゆる確変状態となる特別図柄の種類、あるいは、いわゆる時短を行う場合には時短の回数などの、遊技の進行に関する各種設定とすることができる。
【００８６】
図１４は、主制御部１４０から音声・ランプ制御部１７０に向かって、機種指定コマンドが出力される様子を概念的に示した説明図である。パチンコ機１の機種あるいはスペックを表すデータは、主制御部１４０に内蔵されたＲＯＭ４８２の所定アドレスに予め記憶されている。また、主制御基板３４０からは、ストローブ信号を出力するための１ｂｉｔ幅の信号線と、コマンドおよびコマンドに付随するデータ（以下では、これらをまとめてコマンドデータと呼ぶことがあるものとする）を出力するための８ｂｉｔ幅の信号線とが、音声・ランプ制御基板３７０に接続されている。
【００８７】
主制御基板３４０は、これら信号線を用いて次のようにしてコマンドを出力する。先ず、機種を表すデータを出力することを意味するコマンド（本実施例では、１０ｈ）を、パラレル出力ポート４８８に設定する。このパラレル出力ポート４８８は、上述した８ｂｉｔ幅の信号線に電気的に接続されている。尚、数値の後ろに付加された「ｈ」は、その数値が１６進数表示されていることを示している。次いで、主制御基板３４０は、ストローブ信号を出力するための信号線を低電圧状態から高電圧状態に変化させる。
【００８８】
音声・ランプ制御部３７０は、ストローブ信号の電圧が低電圧状態から高電圧状態に変化したタイミングで、８ｂｉｔ幅の信号線上に設定されているコマンドを読み込む。前述したように、主制御基板３４０は、「１０ｈ」をパラレル出力ポート４８８に設定した後にストローブ信号の電圧を切り換えるから、音声・ランプ制御基板３７０は、ストローブ信号の立ち上がりのタイミングでパラレル出力ポート４８８を読み込むことで、主制御基板３４０から出力されたコマンド「１０ｈ」を確実に読み込むことができる。音声・ランプ制御部１７０は、読み込んだコマンド「１０ｈ」を内蔵するＣＰＵ１７１によって解釈し、その結果、主制御部１４０から続いて機種データが出力されることを認識する。
【００８９】
主制御基板３４０は、コマンド「１０ｈ」を出力すると、今度はパチンコ機１の機種あるいはスペックを表すデータ「０１ｈ」を出力する。すなわち、内蔵ＲＯＭ４８２の所定アドレスには、機種あるいはスペックを表すデータ「０１ｈ」が予め記憶されているので、このアドレスからデータ「０１ｈ」を読み出して、パラレル出力ポート４８８に設定する。その後、ストローブ信号を低電圧状態から高電圧状態に変更する。音声・ランプ制御基板３７０は、ストローブ信号が低電圧状態から高電圧状態に切り換わったことを検出して、パラレル出力ポート４８８に設定されている機種データ「０１ｈ」を読み込み、音声・ランプ制御基板３７０に内蔵されているＲＡＭ１７２の所定アドレスに記憶する。図１４に示した音声・ランプ制御基板３７０には、主制御基板３４０から出力された機種データ「０１ｈ」が、ＲＡＭ１７２の所定アドレスに記憶されている様子が概念的に表されている。図１３のＳ１４では、このようにして主制御基板３４０から音声・ランプ制御基板３７０に向かって機種指定コマンドを出力する処理を行う。
【００９０】
次いで、主制御部１４０は、音声・ランプ制御部１７０に向かって、初期図柄の表示を指示するコマンド（初期図柄表示コマンド）を出力する処理を行う（Ｓ１６）。尚、初期図柄とは、パチンコ機１の電源投入時あるいはリセットボタンを押されたときに、普通図柄表示装置３２や特別図柄表示装置２７（図４を参照のこと）などに表示される図柄を言い、初期図柄表示コマンドとは、これら初期図柄の表示を図柄制御部１６０に対して指示するコマンドを言う。初期図柄表示コマンドの出力に際しても、前述した機種指定コマンドを出力する場合と同様に、１ｂｉｔ幅のストローブ信号と８ｂｉｔ幅のコマンドデータとを用いて行う。すなわち、主制御基板３４０はパラレル出力ポート４８８にコマンドデータを設定するとストローブ信号を低電圧状態から高電圧状態に切り換え、音声・ランプ制御基板３７０は、ストローブ信号の立ち上がりのタイミングでコマンドデータを読み取る。こうすることにより、初期図柄表示コマンドを確実に読み取ることが可能となる。尚、本実施例の遊技機では、主制御部１４０から音声・ランプ制御部１７０に向けて、後述する機種指定コマンドや、変動パターン指定コマンド、特別図柄指定コマンドなどの各種のコマンドを出力しており、これらコマンドは、主制御基板３４０から音声・ランプ制御基板３７０に向けて出力されている。従って、本実施例の主制御基板３４０は、本発明における機種コマンド出力手段、あるいは遊技コマンド出力手段の一態様を構成している。
【００９１】
主制御部１４０は、こうして機種指定コマンドおよび初期図柄表示コマンドを出力したら、図１３に示した初期化ジョブを終了して、図１２に示す主制御部メインジョブに復帰する。
【００９２】
一方、音声・ランプ制御部１７０および図柄制御部１６０では、主制御部１４０が上述した主制御部メインジョブを実施することと並行して、以下に示すような副制御部メインルーチンを実施する。かかるルーチンは、パチンコ機１の電源が投入されたり、あるいはリセットスイッチが押されたときに自動的に開始され、音声・ランプ制御部１７０および図柄制御部１６０が一体となって実施される処理である。尚、以下に説明する処理を「ルーチン」と呼ぶのは、かかる処理が音声・ランプ制御部１７０および図柄制御部１６０によって実行されることに対応したものである。
【００９３】
図１５は、副制御部メインルーチンの流れを示すフローチャートである。ルーチンが開始されると、先ず初めに初期化ルーチンが実行される（Ｓ５１０）。図１６は、初期化ルーチンの詳細な処理の流れを示すフローチャートである。初期化ルーチンでは、先ず初めに、主制御部１４０から機種指定コマンドを受け取ったか否かが判断される（Ｓ５１２）。主制御部１４０は、図１４を用いて説明したようにして、機種指定コマンドを出力する。機種指定コマンドを受け取ったことが検出されたら（Ｓ５１２：ｙｅｓ）、パチンコ機１の機種あるいはスペックを表すデータ（機種データ）をＲＡＭ１７２の所定アドレスに記憶する（Ｓ５１４）。
【００９４】
尚、主制御部１４０から機種指定コマンドを直接受け取るのは、図１４に示したように音声・ランプ制御部１７０であるが、音声・ランプ制御部１７０は主制御部１４０からコマンドを受け取ると、直ちに図柄制御部１６０にも転送する処理を行う。すなわち、後述するように、音声・ランプ制御部１７０および図柄制御部１６０では、主制御部１４０から各種のコマンドを受け取ると、機種データに応じて解釈することによって適切な制御を行う。そこで、機種指定コマンドによって送信されてきた機種データ（図１４に示した例では「０１ｈ」）を、音声・ランプ制御部１７０および図柄制御部１６０にそれぞれ内蔵されたＲＡＭの所定アドレスに記憶しておくのである。
【００９５】
こうして機種データを記憶すると、初期図柄表示コマンドを受け取ったか否かを判断する（Ｓ５１６）。ここでも、主制御部１４０から初期図柄表示コマンドを直接受け取るのは音声・ランプ制御部１７０であるが、音声・ランプ制御部１７０は受け取ったコマンドを図柄制御部１６０に直ちに転送する。そして、初期図柄表示コマンドを受け取ったと判断された場合は（Ｓ５１６：ｙｅｓ）、今度は、機種指定コマンドとともに供給された機種データを確認する（Ｓ５１８）。機種データは、パチンコ機の機種毎に固有の値が予め設定されており、機種指定コマンドとともに供給された機種データに基づいて、パチンコ機１の機種を確認することができる。
【００９６】
ここでは、パチンコ機の機種としては、「Ａ」、「Ｂ」、「Ｃ」の３つの機種が存在し、それぞれの機種データが「００ｈ」、「０１ｈ」、「０２ｈ」であったとする。そして、ＲＡＭの所定アドレスに記憶されている機種データが「００ｈ」であれば、機種Ａに対応する初期図柄を表示する（Ｓ５２０）。初期図柄としてどのような図柄を表示するかについてのデータは、図柄制御部１６０に内蔵されたＲＡＭに機種毎に予め設定されており、かかるデータを読み出すことによって適切な初期図柄を表示することができる。一方、機種データとして「０１ｈ」が記憶されている場合は、同様に、ＲＡＭに設定されているデータを読み出すことにより機種Ｂに対応する初期図柄を表示する（Ｓ５２２）。また、機種データ「０２ｈ」が記憶されている場合は、同様にして機種Ｃに対応する初期図柄を表示する（Ｓ５２４）。こうして機種に応じた初期図柄を表示したら、図１６に示した初期化ルーチンを終了して、副制御部メインルーチンに復帰する。
【００９７】
このように本実施例の初期化ルーチンでは、パチンコ機１の機種に応じて、それぞれ適切な初期図柄を表示している。しかし、図柄制御部１６０が受け取るのは、初期図柄表示コマンドのみであり、初期図柄の内容については、先に受け取った機種データに基づいて、図柄制御部１６０が適切な表示内容を選択して表示している。このため、主制御部１４０は、予め機種指定コマンドを送信しておきさえすれば、初期図柄の内容までは指定せずとも、初期図柄表示コマンドを送信するだけで、適切な初期図柄を表示させることができる。従って、主制御部１４０の制御内容を大幅に簡素化することができ、処理の負荷を大きく軽減することが可能となる。
【００９８】
また、各機種についての初期図柄の内容を表すデータを、図柄制御部１６０のＲＡＭに予め記憶しておけば、図柄制御基板３６０を共通化することも可能となる。基板が共通となれば、製造時に基板の類別を識別する工数を省くことができ、更に誤った基板を組み付けるおそれもなくなるので、製造工程を大きく合理化することが可能となる。
【００９９】
Ｃ−２．デモ演出時の制御内容：
主制御部１４０では、初期化ジョブに続いて、デモ演出ジョブを開始する（図１２のＳ１２）。ここでデモ演出とは、パチンコ機１がいわゆる客待ち状態の時に、遊技客の注意を引きつけるために、普通図柄や特別図柄で特別に行われる表示あるいは、効果音の出力といった所定の演出を言う。
【０１００】
図１７は、主制御部１４０で行われるデモ演出ジョブの流れを示すフローチャートである。デモ演出ジョブを開始すると、先ず初めに、発射ハンドル９に設けられたタッチスイッチ９ａ（図１を参照のこと）がＯＮとなっているか否かを判断する（Ｓ１２２）。前述したように、遊技者が発射ハンドル９に触れていればタッチスイッチ９ａはＯＮになるから、タッチスイッチがＯＮであれば（Ｓ１２２：ｙｅｓ）、客待ち状態ではないと判断される。そこで、このような場合はデモ演出は不要であり、直ちにデモ演出ジョブを終了して、主制御部メインジョブに復帰する。一方、タッチスイッチがＯＦＦであれば（Ｓ１２２：ｎｏ）、客待ち状態となっている可能性がある。そこで、タッチスイッチが継続してＯＦＦとなっている経過時間を検出し（Ｓ１２４）、連続してＯＦＦとなっている経過時間が、所定時間（例えば２分）に達しているか否かを判断する（Ｓ１２６）。経過時間が所定時間に達していない場合は（Ｓ１２６：ｎｏ）、客待ち状態ではないと判断してデモ演出ジョブを終了する。経過時間が所定時間に達している場合は（Ｓ１２６：ｙｅｓ）、主制御部１４０はデモ演出コマンドを出力する（Ｓ１２８）。デモ演出コマンドは、図１４を用いて前述した機種指定コマンドあるいは初期図柄表示コマンドと同様に、主制御基板３４０からストローブ信号とともに出力される。
【０１０１】
一方、図１２に示す主制御部メインジョブに並行して実行されている副制御部メインルーチンでは、上述したデモ演出ジョブが実行されている間に、デモ演出ルーチンが実行されている（図１５のＳ５３０）。図１８は、音声・ランプ制御部１７０および図柄制御部１６０で実行されるデモ演出ルーチンの流れを示すフローチャートである。
【０１０２】
デモ演出ルーチンを開始すると、主制御部１４０からデモ演出コマンドが出力されたか否かを監視する（Ｓ５３２）。デモ演出コマンドが出力されたと判断された場合は（Ｓ５３２：ｙｅｓ）、デモ演出コマンドは、直ちに音声・ランプ制御部１７０から図柄制御部１６０へも転送され、次いで、音声・ランプ制御部１７０および図柄制御部１６０にそれぞれ内蔵されているＲＡＭに記憶された機種データを確認する（Ｓ５３４）。
【０１０３】
そして、機種データが「００ｈ」であれば、機種Ａに対応するデモ演出を実施する（Ｓ５３６）。すなわち、音声・ランプ制御部１７０は、機種Ａのデモ演出用として予め記憶されていた所定の効果音を出力し、図柄制御部１６０は、機種Ａのデモ演出用として予め記憶されていた所定の図柄を表示する処理を行う。一方、機種データとして「０１ｈ」が記憶されている場合は、同様に、ＲＡＭに設定されているデータを読み出すことにより機種Ｂに対応するデモ演出を行い（Ｓ５３８）、機種データ「０２ｈ」が記憶されている場合は、機種Ｃに対応するデモ演出を行う（Ｓ５４０）。こうして機種に応じたデモ演出を行ったら、図１８に示したデモ演出ルーチンを終了して、副制御部メインルーチンに復帰する。
【０１０４】
このように、本実施例のデモ演出ルーチンでは、パチンコ機１の機種に応じて、それぞれ適切なデモ演出を行うことが可能となっている。しかし、前述した初期化ルーチンと同様に、音声・ランプ制御部１７０および図柄制御部１６０が受け取るのは、デモ演出を行う旨を指示するデモ演出コマンドのみであり、デモ演出の内容については、機種データに基づいて、音声・ランプ制御部１７０および図柄制御部１６０が適切な演出内容を選択しており、主制御部１４０は、機種に応じた細かな演出内容を指示する必要がない。また、機種データは、パチンコ機１の電源投入時に既に供給されているので、デモ演出に際しては、改めて機種データを出力する必要もない。このため、主制御部１４０の制御内容を大幅に簡素化することができ、処理の負荷を大きく軽減することが可能となる。
【０１０５】
また、各機種についてのデモ演出の内容を表すデータを、音声・ランプ制御部１７０および図柄制御部１６０のそれぞれのＲＡＭに予め記憶しておけば、音声・ランプ制御部１７０や図柄制御基板３６０を共通化するができる。このため、遊技機の製造工程を大きく合理化することが可能となる。
【０１０６】
Ｃ−３．遊技時の制御内容：
パチンコ機１の電源投入後、遊技客が遊技を開始するまでの間は、主制御部１４０は以上のような初期化ジョブ（図１２のＳ１０）およびデモ演出ジョブ（図１２のＳ１２）を行い、一方、音声・ランプ制御部１７０および図柄制御部１６０は、初期化ルーチン（図１５のＳ５１０）およびデモ演出ルーチン（図１５のＳ５３０）を行いながら、遊技の開始を待機している。そして、遊技客によって遊技が開始されると、主制御部１４０、音声・ランプ制御部１７０および図柄制御部１６０は、次のような制御を行う。尚、説明の便宜から、以下では、主制御部１４０が行う処理（主制御部メインジョブにおける処理）について初めに説明し、その後、音声・ランプ制御部１７０および図柄制御部１６０が行う処理（副制御部メインルーチンにおける処理）について説明する。
【０１０７】
遊技客によって遊技が開始されると、図１２に示した主制御部メインジョブは、先ず初めに、図４に示した普通図柄変動ゲート３６，３７を遊技球が通過したか否かを判断する（Ｓ１４）。これらゲートを遊技球が通過した場合は（Ｓ１４：ｙｅｓ）、普通図柄表示装置３２における演出を制御するためのジョブ（普通図柄制御ジョブ）を開始する（Ｓ１６）。普通図柄制御ジョブの内容については後ほど詳細に説明する。
【０１０８】
次いで主制御部１４０は、遊技機に複数設けられた入賞口のいずれかに遊技球が入賞したか否かを判断する（Ｓ１８）。前述したように、各入賞口の内部には入賞球の通過を検知するスイッチが設けられており、スイッチで検出された信号が信号ケーブルによって主制御基板３４０に伝達される。主制御部１４０は、いずれの信号ケーブルから信号が伝達されたかに基づいて、入賞のあった入賞口を容易に検出することができる。そして、入賞のあった入賞口に応じて、所定数の遊技球を払い出す旨の賞球コマンドを出力する（ステップＳ２０）。賞球コマンドは、主制御部１４０から払出制御部１５０に向かって出力され、払出制御部１５０ではコマンドに従って賞球払出装置１０９を制御することにより、所定数の遊技球の払出を行う。もちろん、主制御部１４０から音声・ランプ制御部１７０にもコマンドを出力して、賞球に伴う所定の演出を行うこととしても良い。
【０１０９】
続いて主制御部１４０は、遊技球の入賞した入賞口が始動口１７か否かを判断する（Ｓ２２）。そして、入賞した入賞口が始動口１７である場合は（Ｓ２２：ｙｅｓ）、始動入賞指定コマンドを出力する（Ｓ２３）。始動入賞指定コマンドとは、遊技球が始動口１７に入賞したことを指定するために、主制御部１４０から音声・ランプ制御部１７０に向かって出力されるコマンドである。音声・ランプ制御部１７０は、始動入賞指定コマンドを受け取ると、遊技盤１０に設けられた所定のＬＥＤを一定時間だけ点灯表示させることにより、始動口１７への遊技球の入賞を演出する。
【０１１０】
尚、本実施例のパチンコ機１が電源投入時に、パチンコ機の機種（あるいはスペック）を表す機種指定コマンドを、主制御部１４０から音声・ランプ制御部１７０に向かって出力していることは、図１４を用いて前述した。詳細には後述するが、このように音声・ランプ制御部１７０にパチンコ機１の機種（あるいはスペック）を認識させておけば、音声・ランプ制御部１７０が機種あるいはスペックを判断して、適切な演出を行うことができるので、主制御部１４０の制御負担を大きく低減させることが可能となる。
【０１１１】
更に、本実施例のパチンコ機１は、電源投入時だけでなく遊技中にも、制御の負担とならないタイミングを見計らって、パチンコ機の機種（あるいはスペック）を表すコマンドを出力している。本明細書中では、このような遊技中に機種（あるいはスペック）を出力するコマンドを、「遊技中機種指定コマンド」と呼ぶことにする。遊技中機種指定コマンドを出力することで、遊技中にも主制御部１４０から音声・ランプ制御部１７０に向かって機種（あるいはスペック）を出力しておけば、遊技中に、音声・ランプ制御部１７０（あるいは図柄制御部１６０など）への電力の供給が何らかの理由で一時的に途絶えた場合でも、遊技を続けながら機種（あるいはスペック）を再び取得することができるので、機種（あるいはスペック）に応じた適切な演出を行うことが可能である。
【０１１２】
図１２のＳ２３において、主制御部１４０から音声・ランプ制御部１７０に出力される始動入賞指定コマンドは、本実施例のパチンコ機１では、上述した遊技中機種指定コマンドを兼ねたコマンドとなっている。遊技中機種指定コマンドを兼ねた始動入賞指定コマンドのコマンド構造、および、始動入賞指定コマンドに遊技中機種指定コマンドを兼ねることで、制御の負担とならずに機種（あるいはスペック）を出力することが可能な理由については、後ほど詳しく説明する。
【０１１３】
主制御部１４０から音声・ランプ制御部１７０に向かって始動入賞指定コマンドを出力したら（Ｓ２３）、今度は、内蔵ＲＡＭ４８１内の特別図柄保留数メモリ（保留数計数手段）に記憶されている保留数が４以上か否かを判断し、その保留数が４に達していなければ（Ｓ２４：ｎｏ）、その保留数を１加算する（Ｓ２６）。ここで、特別図柄保留数メモリ（保留数計数手段）に記憶される保留数は、特別図柄変動中もしくは特別遊技状態における始動口１７への遊技球の入賞数に該当し、この入賞数は、特別図柄表示装置２７にて、後述する特別図柄制御ジョブ（図２２）の特別図柄当否判定処理（Ｓ１６４）の結果表示を行っていない数に該当する。次に、主制御部１４０は特別図柄当否判定乱数を発生し、その判定乱数値を内蔵ＲＡＭ４８１内の特別図柄当否判定乱数メモリに記憶する（Ｓ２８）。この特別図柄当否判定乱数メモリは、発生した判定乱数値を始動入賞の時系列にシフトメモリ形式で記憶されている。この後、特別図柄表示装置２７の動作を制御するためのジョブ（特別図柄制御ジョブＳ３４）、更には、特別遊技状態時の動作を制御するためのジョブ（特別遊技関連ジョブＳ３６）を実施する。この特別図柄制御ジョブおよび特別遊技関連ジョブの内容については後述する。一方、ステップＳ２４において保留数が４に達している場合は（Ｓ２４：ｙｅｓ）、保留数を加算する処理をスキップする。
【０１１４】
また、ステップＳ２２において、入賞した入賞口が始動口１７でない場合は（Ｓ２２：ｎｏ）、内蔵ＲＡＭ４８１内の特別図柄保留数メモリに記憶されている保留数が０か否かを判断し（Ｓ３０）、０でない場合は（Ｓ３０：ｎｏ）、特別図柄制御ジョブ（Ｓ３４）および特別遊技関連ジョブ（Ｓ３６）を行う。一方、保留数が０の場合は（Ｓ３０：ｙｅｓ）、特別図柄制御ジョブや特別遊技関連ジョブは行わない。
【０１１５】
以上の様な処理を行ったら、パチンコ機１の電源がＯＦＦとされたか否かを判断し（Ｓ３２）、電源がＯＮであると判断された場合は（Ｓ３２：ｎｏ）、再びＳ１２のデモ表示ジョブに戻って続く一連の処理を行う。これに対して、パチンコ機１の電源がＯＦＦになったと判断された場合は（Ｓ３２：ｙｅｓ）、主制御部メインジョブを終了する。こうして主制御部メインジョブを終了すると、遊技の進行が停止しパチンコ機１の遊技状態が終了する。
【０１１６】
以下では、主制御部メインジョブの中で行われる各種ジョブ、すなわち普通図柄制御ジョブ（Ｓ１６）、特別図柄制御ジョブ（Ｓ３４）、および特別遊技関連ジョブ（Ｓ３６）の各ジョブについて説明した後、これらジョブに並行して副制御部メインルーチンで行われる処理について説明する。
【０１１７】
３−３−１．普通図柄制御ジョブ：
図１９は、普通図柄制御ジョブの流れを示すフローチャートである。前述したように、この処理は、遊技球が普通図柄変動ゲートを通過すると、図１２に示した主制御部メインジョブから呼び出されて開始されるジョブである。また、「ジョブ」という名称から分かるように、この処理は主制御部１４０によって実行される。
【０１１８】
普通図柄制御ジョブを開始すると、先ず初めに普通図柄の当否判定を行い（Ｓ１４２）、続いて、当否の結果に応じた変動パターンと停止図柄とを決定する（Ｓ１４４）。当否判定およびこれらを決定する手法としては種々の方法を用いることができるが、本実施例のパチンコ機１では、乱数を利用した抽選を行うことによって、これらを決定する。また、ここでは変動パターンとして、普通図柄を変動表示させる時間を決定している。もちろん、より詳細な内容まで決定することも可能である。
【０１１９】
こうして普通図柄の当否と、当否に応じた変動パターンおよび停止する普通図柄とを決定したら、これら決定内容に従って、普通図柄関連コマンドを音声・ランプ制御基板３７０に向かって出力する処理を行う（Ｓ１４６）。普通図柄関連コマンドとは、普通図柄制御のために主制御基板３４０から遊技の進行状況に応じて出力される各種の遊技コマンドであり、具体的には、普通図柄の変動パターンを指定するコマンド（普通図柄変動パターン指定コマンド）や、変動後に停止する普通図柄を指定するコマンド（普通図柄指定コマンド）、普通図柄の変動を停止させるコマンド（普通図柄停止コマンド）などの各種コマンドを言う。
【０１２０】
図２０は、これら普通図柄関連コマンドを一覧的に表示した説明図である。普通図柄の変動パターンに応じて、コマンドＣhp1 ，コマンドＣhp2 ，コマンドＣhp3 ，コマンドＣhp4 ・・・など、各種の指定コマンドが予め設定されている。また、変動後に停止させる普通図柄に応じて、コマンドＣhs1 ，コマンドＣhs2 ，コマンドＣhs3 ，コマンドＣhs4 ・・・などの各種の指定コマンドが設定されており、普通図柄の変動表示を停止させるためのコマンドとしては、コマンドＣhstpが設定されている。もちろん、表示されているコマンド以外に他のコマンドを設定しておくことも可能である。これらの普通図柄関連コマンドは、図８に示した主回路部４０１の内蔵ＲＯＭ４８２に予め記憶されている。図１９のステップＳ１４６では、ステップＳ１４２およびＳ１４４で決定した変動パターンおよび普通図柄に応じて、内蔵ＲＯＭ４８２から対応するコマンドを読み出した後、音声・ランプ制御基板３７０に向かってストローブ信号とともに出力する処理を行う（図１４を参照のこと）。
【０１２１】
図２１は、上述したステップＳ１４６において、主制御部１４０が各種の普通図柄関連コマンドを出力する様子を概念的に示した説明図である。普通図柄制御ジョブが開始されて、ステップＳ１４６の処理が初めて実行される場合は、先に決定しておいた普通図柄の変動パターン指定コマンドが、主制御基板３４０から出力される。図２１に示した白抜きの矢印は、コマンドが出力されていることを模式的に示したものである。音声・ランプ制御基板３７０は、普通図柄の変動パターン指定コマンドを受け取ると、直ちに図柄制御基板３６０に転送する。音声・ランプ制御部１７０および図柄制御部１６０では、こうして受け取ったコマンドに基づいてそれぞれの処理が開始され、その結果、所定の効果音やランプの点滅をともなって普通図柄表示装置３２の変動表示が開始される。
【０１２２】
ここで、図１２を用いて前述した主制御部メインジョブのＳ１２からＳ３２までの処理は、ほぼ４ｍｓｅｃ間隔で繰り返されており、従って、図１９の普通図柄制御ジョブも約４ｍｓｅｃ間隔で実行される。初回の実行時には普通図柄の変動パターン指定コマンドを出力するが、２周目の実行時には、変動表示後に停止表示する普通図柄を指定するコマンド、すなわち普通図柄指定コマンドを出力する。図柄の指定が１回で良い場合、すなわち普通図柄表示装置３２が同時には１つの図柄しか表示することができず、且つ変動開始後に１回だけ図柄を停止表示させる場合は、普通図柄指定コマンドは１回だけ出力される。しかし、普通図柄表示装置３２が同時に複数の図柄を表示可能な場合、あるいは同時には１つの図柄しか表示できないものの変動表示と擬似的な停止とを何回か繰り返した後に最終的な普通図柄で停止表示する場合などには、普通図柄指定コマンドを複数回出力することになる。図２１では、普通図柄表示装置３２で同時に３つの普通図柄を表示可能な場合について表示している。この場合は、図１９の普通図柄制御ジョブを２周目に実行する場合には、１桁目の普通図柄についての指定コマンドを出力し、３周目に実行する場合には２桁目の図柄についての指定コマンドを、４周目に実行する場合には３桁目の図柄の指定コマンドを出力する。こうして出力された普通図柄指定コマンドは、音声・ランプ制御基板３７０を介して図柄制御基板３６０に転送され、音声・ランプ制御基板３７０および図柄制御基板３６０では、それぞれのコマンドに合わせて所定の演出のための制御を実行する。
【０１２３】
こうして普通図柄変動パターン指定コマンドと普通図柄指定コマンドとを出力したら、変動パターンに応じて定まる所定のタイミングで、普通図柄変動表示を停止するコマンド（普通図柄停止コマンド）を出力する。つまり、前述したように、当否判定を行って決定する変動パターンには、図柄の変動時間に関する情報を含んでいるので、図柄停止コマンドを出力するタイミングは、変動パターンに依存するのである。例えば、４秒間だけ図柄を変動させる変動パターンを選択していた場合、主制御部メインジョブが１回まわるために約４ｍｓｅｃかかるから、１００周目の実行時に図柄停止コマンドを出力すればよいことになる。
【０１２４】
尚、図２１において、主制御部１４０から出力される普通図柄停止コマンドＣhstpは、本実施例のパチンコ機１では、前述した遊技中機種指定コマンドを兼ねたコマンドとなっている。遊技中機種指定コマンドを兼ねた普通図柄停止コマンドＣhstpのコマンド構造、および、普通図柄停止コマンドＣhstpに遊技中機種指定コマンドを兼ねることで、制御の負担とならずに機種（あるいはスペック）を出力することが可能な理由については、後ほど詳しく説明する。
【０１２５】
図１９に示したステップＳ１４６の処理では、図２０に示す各種の普通図柄関連コマンドを、以上に説明したようにして順番に出力する処理を行う。こうして、ステップＳ１４２およびＳ１４４で決定した内容に応じて各種の普通図柄関連コマンドを出力し、最後に図柄停止コマンドを出力したら、普通図柄制御ジョブを終了する。
【０１２６】
尚、以上の説明では、音声・ランプ制御基板３７０および図柄制御基板３６０は、主制御基板３４０から出力された各種コマンドに従って、それぞれの処理を行うものとして説明した。しかし、パチンコ機１の電源投入時に供給された機種データを考慮しながら、主制御基板３４０から出力されたコマンドを解釈して、機種毎に演出の内容を異ならせるものとしてもよい。例えば、主制御基板３４０からのコマンドが表す詳細な演出の内容を、機種毎に予め設定しておき、コマンドを受け取ったら機種毎に設定されている内容の演出を行うこととしても良い。あるいは、主制御基板３４０から受け取ったコマンドを解釈するに際して、機種データを参照しながらコマンド解釈を行うこととしても良い。こうすれば、主制御基板３４０からは詳細な演出の内容を指示しなくても、音声・ランプ制御基板３７０および図柄制御基板３６０がコマンドを機種に応じて解釈し、機種に応じた適切な演出を行うことができる。従って、主制御部１４０における制御負荷を大幅に低減することが可能となるとともに、音声・ランプ制御基板３７０や図柄制御基板３６０の共通化を図って、基板の類別を減少させ、延いては、パチンコ機１の製造工程を大きく合理化することが可能となる。
【０１２７】
３−３−２．特別図柄制御ジョブ：
次に、図１２のステップＳ３４に示した特別図柄制御ジョブの内容について説明する。図２２は、特別図柄制御ジョブの流れを示すフローチャートである。この処理も、主制御部１４０によって開始される処理である。
【０１２８】
特別図柄制御ジョブでは、先ず、特別遊技状態であるか否かを判断し（Ｓ１６２）、特別遊技状態でない場合には（Ｓ１６２：ｎｏ）、特別図柄の当否判定を行い（Ｓ１６４）、続いて当否に応じた変動パターンと変動後に停止させる特別図柄とを決定する処理を行う（Ｓ１６６）。ステップＳ１６４の特別図柄の当否判定処理は、遊技者にとって有利な特別遊技状態を成立させるか否かの抽選処理であり、主制御部１４０の内蔵ＲＯＭに格納されたプログラムによって構成される特別図柄抽選手段によって行われる。このステップＳ１６４の処理は、図１２のステップＳ２８で記憶されている最も古い先頭の特別図柄当否判定乱数を読み出して、その読み出した判定乱数値と、内蔵ＲＯＭ４８２内の大当り乱数メモリに記憶されている大当り乱数値との比較を行うものであり、両者が一致すれば当り判定となって、遊技者にとって有利な特別遊技状態が成立し、一致しなければ外れ判定となって、通常の遊技状態が維持される。尚、本実施例のパチンコ機１では、特別図柄に関する当否判定と普通図柄に関する当否判定とは、異なる乱数値を用いた別個の処理によって実施されている。こうすれば、特別図柄で更に複雑な演出を行う必要が生じた場合でも、容易に対応することが可能となる。もちろん、特別図柄の当否判定処理を利用して普通図柄の当否判定を行うことも可能である。また、特別図柄制御ジョブにおいても普通図柄制御ジョブと同様に、変動パターンとしては、特別図柄を変動表示させる時間を決定している。もちろん、より詳細な内容まで決定することとしても良い。
【０１２９】
特別図柄の変動パターンと停止図柄とを決定したら、これら決定内容に従って、特別図柄関連コマンドを音声・ランプ制御基板３７０に向かって出力する処理を行う（Ｓ１６８）。特別図柄関連コマンドとは、特別図柄制御のために主制御基板３４０から、遊技の進行状況に応じて出力される各種の遊技コマンドであり、図８に示した主回路部４０１の内蔵ＲＯＭ４８２に予め記憶されている。図２３は、記憶されている各種の特別図柄関連コマンドを一覧的に表示した説明図である。特別図柄関連コマンドとしては、特別図柄の変動パターンを指定するコマンド（特別図柄変動パターン指定コマンド）や、変動後に停止する特別図柄を指定するコマンド（特別図柄指定コマンド）、特別図柄の変動を停止させるコマンド（特別図柄停止コマンド）、更には、大当り時にスピーカーから出力する効果音を指定するコマンド（大当り効果音指定コマンド）、大当り時に行われる特別遊技に関する各種コマンド（大当りラウンド指定コマンド、大入賞口カウント指定コマンド）などが設定されている。もちろん、これらコマンド以外に、他のコマンドを設定しておくことも可能である。
【０１３０】
また、前記した図２２のステップＳ１６０において、特別遊技状態である場合には（Ｓ１６０：ｙｅｓ）、前記したステップＳ１６４〜Ｓ１６８の処理を行わずに、そのまま特別図柄制御ジョブを終了する。
【０１３１】
図２４は、図２２のステップＳ１６８において、上述した特別図柄関連コマンドが主制御基板３４０から出力される様子を概念的に示した説明図である。前述した普通図柄制御ジョブと同様に、特別図柄制御ジョブにおいてもステップＳ１６８の処理が初めて実行される時には、特別図柄変動パターン指定コマンドが出力される。図２４中に示された白抜きの矢印は、主制御部１４０の発するコマンドが、音声・ランプ制御部１７０あるいは図柄制御部１６０に供給されていることを模式的に示したものである。また、図２４中で斜線が付された矢印は、音声・ランプ制御部１７０の発するコマンドが、図柄制御部１６０に供給されていることを模式的に示したものである。音声・ランプ制御部１７０から出力されるコマンドについては、後ほど詳しく説明する。
【０１３２】
特別図柄制御ジョブにおいても、音声・ランプ制御基板３７０は特別図柄変動パターン指定コマンドを受け取ると、直ちに図柄制御基板３６０に転送する。音声・ランプ制御部１７０および図柄制御部１６０では、こうして受け取ったコマンドに基づいて、後述する処理が開始される。
【０１３３】
特別図柄制御ジョブが１周目の処理を終了して、２周目にＳ１６８（図２２参照のこと）の処理が実行されるときには、特別図柄の変動表示後に停止表示する左特別図柄を指定するコマンド（左特別図柄指定コマンドＣtsL ）を音声・ランプ制御基板３７０に向かって出力する。前述したように、主制御部メインジョブは一連の処理を完了するために約４ｍｓｅｃかかるから、特別図柄変動パターン指定コマンドを出力してから、ほぼ４ｍｓｅｃ後に左特別図柄指定コマンドを出力することになる。更に、その約４ｍｓｅｃ後に３周目の処理が実行される時には、中特別図柄の指定コマンド（中特別図柄指定コマンドＣtsM ）が出力され、その約４ｍｓｅｃ後に４周目の処理が実行される時には、右特別図柄指定コマンドＣtsR が出力されることになる。尚、図２４に示した例では、特別図柄としては、左特別図柄、中特別図柄、右特別図柄の３つの図柄しか同時には表示できないものとして説明したが、もちろん、より多くの特別図柄を表示可能としても構わない。
【０１３４】
以上のようにして、特別図柄についての変動パターン指定コマンドと図柄指定コマンドを出力したら、変動パターンに応じて定まる所定のタイミングで、特別図柄変動表示を停止するコマンド（特別図柄停止コマンドＣtstp）を出力する。
【０１３５】
尚、図２４において、主制御部１４０から出力される特別図柄停止コマンドＣtstpは、本実施例のパチンコ機１では、前述した遊技中機種指定コマンドを兼ねたコマンドとなっている。遊技中機種指定コマンドを兼ねた特別図柄停止コマンドＣtstpのコマンド構造、および、特別図柄停止コマンドＣtstpに遊技中機種指定コマンドを兼ねることで、制御の負担とならずに機種（あるいはスペック）を出力することが可能な理由については、後ほど詳しく説明する。
【０１３６】
音声・ランプ制御部１７０および図柄制御部１６０は、こうして主制御部１４０から出力された特別図柄関連コマンドを受け取ると、直ちにコマンドを図柄制御部１６０に転送するとともに、受け取ったコマンドに応じて詳細な特別図柄変動の制御を開始する。音声・ランプ制御部１７０および図柄制御部１６０で行われるこれらの処理は、図１５を用いて前述した副制御部メインルーチンによって実行される。音声・ランプ制御部１７０および図柄制御部１６０で行われる処理の内容については後述する。
【０１３７】
３−３−３．特別遊技関連ジョブ：
図１２に示したように、主制御部１４０は、以上のようにして特別図柄制御ジョブ（Ｓ３４）を終了すると、続いて特別遊技関連ジョブ（Ｓ３６）を開始する。図２５は、特別遊技関連ジョブの流れを示したフローチャートである。以下、フローチャートに従って説明する。
【０１３８】
特別遊技関連ジョブを開始すると、先ず初めに、特別遊技状態か否かを判断する（Ｓ１８２）。すなわち、特別遊技状態は、特別図柄の当否判定において当り判定となったときに発生することから、先ず初めに特別遊技状態か否かを確認するのである。そして、特別遊技状態であることが確認されたら（Ｓ１８２：ｙｅｓ）、特別遊技を開始する旨の遊技コマンドである大当り開始コマンドを、音声・ランプ制御基板３７０に向かって出力する（Ｓ１８４）。音声・ランプ制御基板３７０は大当り開始コマンドを受け取ると、そのコマンドを直ちに図柄制御基板３６０に転送する。こうして、大当り開始コマンドを出力したら、連続カウンタに「１」を設定することによって初期化を行う（Ｓ１８６）。一方、特別遊技状態でない場合は、後述する特別遊技を行うことなく、そのまま図２５に示した特別遊技関連ジョブを終了する。
【０１３９】
特別遊技状態であることが確認され、連続カウンタを初期化したら、図４に示した大入賞口３１１を開口させる旨の遊技コマンドである大入賞口開口コマンドを音声・ランプ制御基板３７０に向かって出力する（Ｓ１８８）。図４に示されているように、大入賞口は他の入賞口よりも大きく開口するので、大入賞口３１１を開口させれば、遊技球は大変入賞し易くなる。ここで言う「連続カウンタ」の値は、特別遊技状態における「ラウンド回数」に相当している。尚、大入賞口開口コマンドも、上述した大当り開始コマンドと同様に、音声・ランプ制御基板３７０から図柄制御基板３６０に転送される。このように特別遊技関連ジョブにおいて主制御基板３４０から音声・ランプ制御基板３７０に出力されたコマンドは、直ちに音声・ランプ制御基板３７０から図柄制御基板３６０に転送されるが、以下では、説明が煩雑となることを避けるために、音声・ランプ制御基板３７０から図柄制御基板３６０への転送については記述を省略する。すなわち、特に指示がない限り、主制御基板３４０から音声・ランプ制御基板３７０へ出力されたコマンドは、直ちに図柄制御基板３６０へも転送されるものとする。
【０１４０】
大入賞口３１１を開口させると、開口時間が所定時間（例えば３０秒間）に達したか否かを判断し（Ｓ１９０）、所定時間に達していない場合は更に、遊技球の入賞数が所定数に達したか否かを判断する（Ｓ１９２）。開口時間は主回路部４０１に内蔵されたタイマ４８７を用いて検出する。また、遊技球の入賞は、入賞球検知スイッチ３１８（図６参照）によって検出することができる。入賞数が所定数に達していない場合は（Ｓ１９２：ｎｏ）、再びＳ１８８に戻って、開口時間が所定時間に達したか否かを判断する。こうした操作を何度も繰り返して、大入賞口３１１の開口時間が所定時間に達するか（Ｓ１９０：ｙｅｓ）、若しくは遊技球の入賞数が所定数に達したことが確認されたら（Ｓ１９２：ｙｅｓ）、大入賞口３１１を一旦閉鎖するべく大入賞口閉鎖コマンドを音声・ランプ制御基板３７０に向かって出力する（Ｓ１９４）。このように、大入賞口３１１が開口してから閉鎖するまでが１つのラウンドとなる。
【０１４１】
大入賞口３１１を一旦閉鎖したら、所定の継続条件が成立しているか否かを判断する（Ｓ１９６）。本実施例のパチンコ機１では、大入賞口３１１の内部に設けられた特定領域（いわゆるＶ入賞口）を遊技球が通過していれば、継続条件が成立したものと判断される。もちろん、継続条件はこうした条件に限られるものではなく、他に適切な条件を設定しておくことができる。継続条件が成立していると判断された場合は（Ｓ１９６：ｙｅｓ）、連続カウンタの値に１を加算した後（Ｓ１９８）、連続カウンタが所定回数に達したか否かを判断する（Ｓ２００）。所定回数は、機種Ａあるいは機種Ｂのパチンコ機では１５回に設定されており、機種Ｃでは１４回に設定されている。そして、連続カウンタが所定回数に達していなければ（Ｓ２００：ｎｏ）、Ｓ１８６に戻って再び大入賞口３１１を開口させるべく大入賞口開口コマンドを出力して、第２ラウンドの特別遊技を開始する。
【０１４２】
第２ラウンドにおいても、第１ラウンドと同様に、開口時間が所定時間に達したか否か（Ｓ１９０）、入賞数が所定数に達したか否か（Ｓ１９２）を判断する操作を繰り返し、開口時間が所定時間に達するか（Ｓ１９０：ｙｅｓ）若しくは入賞数が所定数に達したら（Ｓ１９２：ｙｅｓ）、大入賞口３１１を一旦閉鎖するべく大入賞口閉鎖コマンドを出力し（Ｓ１９４）、継続条件が成立しているか否かを判断する（Ｓ１９６）。そして、継続条件が成立していれば、連続カウンタを１つ増加させて、所定回数（機種Ａあるいは機種Ｂであれば１５回、機種Ｃであれば１４回）に達したか否かを判断する。
【０１４３】
このように、継続条件が成立している限りは、大入賞口の開口と閉鎖とを繰り返す操作を、所定のラウンド回数に達するまで繰り返す。一方、大入賞口３１１の閉鎖後に、継続条件が成立していないと判断された場合は（Ｓ１９６：ｎｏ）、所定のラウンド回数に達する前に特別遊技を終了してしまう。このような状態は「パンク」と呼ばれることがある。以上のように、大入賞口３１１の開口と閉鎖とを所定ラウンド回数まで繰り返すか、若しくはパンク状態となるまで、図２５に示した特別遊技関連ジョブを繰り返す。前述したように、所定ラウンド回数は機種Ａあるいは機種Ｂのパチンコ機１では１５回に設定されており、機種Ｃのパチンコ機１では１４回に設定されているから、いわゆる「パンク」状態とはならない場合の最終ラウンドは、機種Ａおよび機種Ｂについては１５ラウンド、機種Ｃについては１４ラウンドとなる。こうして、最終ラウンドに達するか、あるいはパンク状態となったら、特別遊技を終了させることを意味する大当り終了コマンドを音声・ランプ制御基板３７０に出力した後（Ｓ２０２）、図２５に示した特別遊技関連ジョブを終了して、図１２の主制御部メインジョブに復帰する。
【０１４４】
以上に説明したように、特別遊技関連ジョブでは、初めに大当り開始コマンドを出力した後、特別遊技の進行に合わせて、大入賞口開口コマンドと大入賞閉鎖コマンドとを、音声・ランプ制御基板３７０に向かって交互に繰り返し出力する。主制御部１４０が、こうした特別遊技関連ジョブを実行することと並行して、音声・ランプ制御部１７０および図柄制御部１６０では、後述する特別遊技関連ルーチンが実行されており、主制御基板３４０から、遊技の進行状況に応じて出力された遊技コマンドに基づいて、特別遊技に関する所定の各種演出を行う。
【０１４５】
３−３−４．遊技中に行われる各種ルーチン：
以上に説明したように、主制御部１４０は、上述した主制御部メインジョブを繰り返し行いながら、音声・ランプ制御部１７０および図柄制御部１６０に対して各種のコマンドを出力する。一方、音声・ランプ制御部１７０および図柄制御部１６０は、主制御部１４０で行われる主制御部メインジョブに並行して、図１５に示した副制御部メインルーチンを実行している。そして、副制御部メインルーチンでは、主制御部メインジョブで主制御部１４０から出力される各種コマンドを受け取って、次のような処理を行う。以下では、再び図１５を参照しながら、音声・ランプ制御部１７０および図柄制御部１６０が遊技中に行う各種ルーチンについて説明する。
【０１４６】
前述したように、副制御部メインルーチンは初期化ルーチン（図１５のＳ５１０）を行った後、遊技客によって遊技が開始されるまでの間、デモ演出ルーチン（Ｓ５３０）を実行して、主制御基板３４０からコマンドが出力されたか否かを判断し（Ｓ５３２）、コマンドが出力されていない場合は（Ｓ５３２：ｎｏ）、デモ演出ルーチンを行う。図１２の主制御部メインジョブで説明したように、遊技客によって遊技が開始されると変動パターン指定コマンドが出力されるから（図２２参照のこと）、こうした処理を行うことで、副制御部メインルーチンは、主制御基板３４０から変動パターン指定コマンドが出力されることを、デモ演出ルーチンを行いながら待機していることになる。
【０１４７】
そして、変動パターン指定コマンドを受信すると（Ｓ５３２：ｙｅｓ）、特別図柄の変動を開始する（Ｓ５３４）。もちろん、特別図柄の変動開始に合わせて、所定の効果音を出力しても良い。
【０１４８】
次いで、特別図柄指定コマンドを全て受信したか否かを判断する（Ｓ５３６）。図２３および図２４を用いて説明したように、特別図柄指定コマンドとしては、左図柄，中図柄，右図柄の３つの図柄について、それぞれ図柄指定コマンドが出力されるので、Ｓ５３６ではこれら全てのコマンドを受信したか否かを判断するのである。３つの特別図柄が全て指定されれば、大当り状態か否か、確変当りか否かなどの、特別図柄表示装置２７を用いた詳細な演出内容を決定することができる。そこで、特別図柄演出ルーチン（Ｓ５４０）、大当り演出ルーチン（Ｓ５５０）を行う。後述する特別遊技関連ルーチン（Ｓ６００）は、大当り演出ルーチンの終了後に開始される。
【０１４９】
特別図柄演出ルーチン（Ｓ５４０）では、主制御部１４０から受け取った左・中・右の特別図柄の組合せが（図２４参照のこと）、大当り図柄か否かを判断する。更に、大当り図柄である場合は、確変図柄か否か、再抽選を行うか否か、更には再抽選を行う場合には擬似的に表示する特別図柄をセットする処理も行う。尚、こうした判断は、主制御部１４０から受け取った各種の指定コマンドによって一義的に決定することもできるし、あるいは副制御部メインルーチンの中で抽選を行って、より詳細な演出内容を決定することとしても良い。
【０１５０】
大当り演出ルーチン（Ｓ５５０）では、特別図柄演出ルーチンでの決定した内容、すなわち、大当りか否か、確変か否か、再抽選を行うか否か、更には擬似的に表示する特別図柄の決定内容に従って、表示画面２７１（図４参照）における所定の演出表示を行う。また、こうした演出表示に併せて、各種の効果音を出力する制御を行う。
【０１５１】
３−３−５．特別遊技関連ルーチン：
図２６は、特別遊技関連ルーチンの流れを示すフローチャートである。かかるルーチンは、特別図柄制御ジョブ（図１２のＳ３４）を受けて行われる特別図柄演出ルーチン（図１５のＳ５４０）および大当り演出ルーチン（図１５のＳ５５０）に続いて行われることからも明らかなように、主制御部１４０が特別遊技関連ジョブ（図１２のＳ３６）を行うことと並行して実施されるルーチンである。以下、フローチャートに従って説明する。
【０１５２】
特別遊技関連ルーチンを開始すると、先ず初めに、主制御基板３４０から大当り開始コマンドを受け取ったか否かを判断して、大当り開始コマンドを受け取るまで判断を繰り返しながら待機する（Ｓ６０２）。そして、主制御基板３４０から大当り開始コマンドを受け取ったら（Ｓ６０２：ｙｅｓ）、パチンコ機の機種に応じた最終ラウンド数を取得する（Ｓ６０４）。すなわち、図２５に示した特別遊技関連ジョブで説明したように、特別遊技は所定の継続条件が満たされていれば、所定回数に達するまで繰り返し行われる。この所定回数は、機種Ａあるいは機種Ｂのパチンコ機であれば１５回に設定されており、機種Ｃのパチンコ機であれば１４回に設定されている。そして、特別遊技関連ジョブでは、機種に応じて定められたラウンド数に達したら特別遊技関連ジョブを終了する。このことに対応して、特別遊技関連ルーチンでも、最終ラウンド数を予め取得しておくのである。
【０１５３】
音声・ランプ制御基板３７０および図柄制御基板３６０にそれぞれ内蔵されているＲＡＭには、パチンコ機の各機種についての最終ラウンド数が記憶されている。すなわち、機種Ａおよび機種Ｂについては最終ラウンド数が１５であり、機種Ｃについては最終ラウンド数が１４である旨が記憶されている。特別遊技関連ルーチンのＳ６０４では、パチンコ機の電源投入時に受け取って記憶されている機種データ（図１６参照のこと）を参照して、対応する機種の最終ラウンド数をＲＡＭから読み出す処理を行う。
【０１５４】
次いで、連続カウンタに「１」を設定することによってカウンタの初期化を行った後（Ｓ６０６）、主制御基板３４０から大入賞開口コマンドを受け取ったか否かを判断する（Ｓ６０８）。未だ大入賞開口コマンドを受け取っていない場合は（Ｓ６０８：ｎｏ）、開口コマンドを受け取るまで判断を繰り返しながら待機する。そして、大入賞開口コマンドを受け取ったら（Ｓ６０８：ｙｅｓ）、今度は、最終ラウンドに達したか否かを判断する（Ｓ６１０）。最終ラウンドに達したか否かは、連続カウンタの値が、先に取得した最終ラウンド数に達したか否かによって判断する。すなわち、連続カウンタの値が最終ラウンド数に達していなければ、未だ最終ラウンドではないと判断され、連続カウンタの値が最終ラウンド数に達したら、最終ラウンドであると判断することができる。
【０１５５】
そして、最終ラウンドではないと判断された場合は（Ｓ６１０：ｎｏ）、通常ラウンドの特別遊技時に行われる所定の演出を実施する（Ｓ６１２）。具体的には、音声・ランプ制御部１７０では通常ラウンド用の効果音を出力し、図柄制御部１６０では通常ラウンド用の図柄を表示する。一方、Ｓ６１０で最終ラウンドと判断された場合は（Ｓ６１０：ｙｅｓ）、最終ラウンドの特別遊技時に行われる所定の演出を実施する（Ｓ６１４）。すなわち、音声・ランプ制御部１７０および図柄制御部１６０では最終ラウンド用の効果音および図柄をそれぞれ出力する。
【０１５６】
次いで、大入賞口閉鎖コマンドを受け取ったか否かを判断する（Ｓ６１６）。そして、未だ閉鎖コマンドを受け取っていなければ、コマンドを受け取るまで、かかる判断を繰り返す。すなわち、図２５を用いて前述したように、特別遊技関連ジョブでは大入賞口３１１の開放時間が所定時間に達するか（図２５のＳ１９０：ｙｅｓ）、あるいは入賞数が所定数に達すると（図２５のＳ１９２：ｙｅｓ）、大入賞口３１１を一旦閉鎖するべく大入賞口閉鎖コマンドが出力されるので、特別遊技関連ルーチンでは、かかる閉鎖コマンドが出力されるまで待機しているのである。
【０１５７】
そして、大入賞閉鎖コマンドを受け取ったら（Ｓ６１６：ｙｅｓ）、連続カウンタの値を１つ増加させた後（Ｓ６１８）、大当り終了コマンドを受け取ったか否かを判断する（Ｓ６２０）。すなわち、前述したように特別遊技関連ジョブでは、特別遊技状態を終了する場合には大当り終了コマンドが出力されることから、特別遊技関連ルーチンのＳ６２０では、大当り終了コマンドを受け取ったか否かを判断するのである。そして、大当り終了コマンドを受け取っていない場合は（Ｓ６２０：ｎｏ）、新たなラウンドが開始されるものと考えられるので、Ｓ６０８に戻って、大入賞開口コマンドが出力されるまで待機する。一方、Ｓ６２０で大当り終了コマンドを受け取った場合は（Ｓ６２０：ｙｅｓ）、図２６に示した特別遊技関連ルーチンを終了する。
【０１５８】
以上に説明したように、本実施例のパチンコ機１は、機種Ａあるいは機種Ｂについては１５ラウンドまで特別遊技が行われ、機種Ｃについては１４ラウンドまで特別遊技が行われる。そして、最終ラウンドでは、例え所定の継続条件を満たした場合でも新たなラウンドには入らないことを、遊技者が容易に認識できるように、それまでのラウンド時とは異なる効果音が出力され、異なる図柄が表示される。これを音声・ランプ制御基板３７０および図柄制御基板３６０の側から見れば、パチンコ機が機種Ａあるいは機種Ｂである場合は、１４ラウンドから１５ラウンドに入った時に効果音および図柄を変更すればよいが、パチンコ機が機種Ｃである場合は、１３ラウンドから１４ラウンドに入ったときに、効果音および図柄を変更しなければならず、従って、通常であれば、音声・ランプ制御基板３７０や図柄制御基板３６０の類別を増やして、機種毎に適切な基板を組み込むことが必要となる。
【０１５９】
しかし、上述したように本実施例のパチンコ機１では、パチンコ機の機種あるいはスペックを表す機種データを、パチンコ機１の電源投入時に主制御基板３４０から出力しておくことで、音声・ランプ制御基板３７０および図柄制御基板３６０で機種の違いを吸収し、基板の類別がいたずらに増加することを回避することが可能となっている。すなわち、電源投入時に行われる初期化ジョブにおいて、主制御基板３４０から音声・ランプ制御基板３７０および図柄制御基板３６０に向かって機種データを出力しておく。そして、音声・ランプ制御基板３７０および図柄制御基板３６０では、主制御基板３４０から出力される各種のコマンドを、機種データを考慮しながら解釈することで、機種に応じて適切な制御を行うことが可能となっている。
【０１６０】
例えば、上述した特別遊技関連ルーチンでは、電源投入時に供給された機種データに基づいて、パチンコ機の機種に応じた最終ラウンド数を取得し、最終ラウンドが開始されたと判断した場合は、演出内容を通常ラウンドの演出から最終ラウンド用の演出に変更する。すなわち、機種Ａあるいは機種Ｂであれば、最終ラウンド数として１５を取得し、１５ラウンド目が開始されたら演出内容を最終ラウンド用の演出に変更し、機種Ｃであれば１４ラウンド目が開始されたら最終ラウンド用の演出に変更する。こうすれば、音声・ランプ制御基板３７０や図柄制御基板３６０の類別を増やさずとも、機種に応じた適切なタイミングで、特別遊技の演出内容を切り換えることができる。
【０１６１】
また、音声・ランプ制御基板および図柄制御基板３６０での制御内容に機種データを反映させることとすれば、基板の類別を増やすことなく、演出内容を機種に応じて柔軟に変更することも可能となる。すなわち、例えば、機種Ａ、機種Ｂ、機種Ｃのそれぞれについての演出内容を、音声・ランプ制御基板および図柄制御基板３６０の内蔵ＲＯＭに予め記憶しておく。そして、実際に演出を行うにあたっては、機種に応じた演出内容をＲＯＭから読み出して、各種演出を行うこととしてもよい。こうすれば、例えば、特別遊技の通常ラウンド時の演出や最終ラウンドの演出を機種毎に異なる態様で行うといった制御も、基板の類別を増加させることなく容易に実現することが可能となる。
【０１６２】
更には、コマンドの解釈自体を、機種を考慮しながら行うこととしても良い。すなわち、同じコマンドであっても、機種データが異なれば、異なって解釈されることとしても良い。例えば、機種データが「００ｈ」である場合は効果音を出力するコマンドと解釈され、機種データが「０１ｈ」である場合はランプを点滅するコマンドと解釈され、機種データが「０２ｈ」である場合は所定の図柄を表示するコマンドと解釈されるものとしてもよい。こうすれば、音声・ランプ制御基板３７０や図柄制御基板３６０の類別を増やさずとも、機種に応じた最適な演出を柔軟に実現することができる。加えて、音声・ランプ制御基板３７０や図柄制御基板３６０の類別が減少すれば、誤った基板が組み付けられることを回避することができるだけでなく、パチンコ機の製造工程を大きく合理化することが可能となる。
【０１６３】
Ｄ．第２実施例のパチンコ機の制御の概要：
以下では、第２実施例のパチンコ機の制御内容について説明する。第２実施例の制御では、上述した第１実施例に対して、初期化時の制御と、特別遊技時の制御内容とが大きく異なるが、他の制御についてはほぼ同様である。以下では、これら第１実施例に対する相違点を中心に第２実施例の制御について説明する。
【０１６４】
Ｄ−１．初期化時の制御内容：
図２７は、第２実施例のパチンコ機において、主制御部１４０が初期化時に行う制御（初期化ジョブ）の流れを示すフローチャートである。かかるジョブも、前述した第１実施例の初期化ジョブ（図１２のＳ１０）と同様に、主制御部メインジョブを開始すると初めに実施されるジョブである。以下、図２７のフローチャートに従って、第２実施例の初期化ジョブについて説明する。
【０１６５】
第２実施例の初期化ジョブにおいても第１実施例のジョブと同様に、先ず初めに電源投入時処理、すなわち、ＣＰＵ４８０の動作チェックや割り込みモードの設定、カウンタ／タイマ４８７、更には音声・ランプ制御部１７０や図柄制御部１６０などの各制御部を初期化する処理を行う（Ｓ２５２）。
【０１６６】
次いで主制御部１４０は、バックアップデータがあるか否かを判断する（Ｓ２５４）。バックアップデータとは、パチンコ機の電源が、正常な手順を踏むことなく突然切断されたとき等に、電源切断前の状態を復元するべく記憶されているデータである。電源が突然切断されてバックアップデータを記憶する場合はバックアップフラグが設定されるので、主制御部１４０はバックアップフラグが設定されているか否かを確認することにより、バックアップデータの有無を判断することができる。
【０１６７】
そして、バックアップデータが記憶されていない場合は（Ｓ２５４：ｎｏ）、音声・ランプ制御部１７０に向かって、初期図柄表示コマンド（例えば、８９ｈ）を出力し（Ｓ２５６）、続いて、機種を表すデータ（機種データ）を音声・ランプ制御部１７０に出力する（Ｓ５８）。一方、バックアップデータが記憶されている場合は（Ｓ２５４：ｙｅｓ）、初期図柄表示コマンド（８９ｈ）ではなく、復帰画面指定コマンド（例えば、８Ａｈ）を出力した後（Ｓ２６０）、機種データを音声・ランプ制御部１７０に出力する（Ｓ２６２）。
【０１６８】
すなわち、前述した第１実施例の初期化ジョブでは、機種データの出力に先立って、機種データが出力されることを意味する機種指定コマンド（前述した例では、１０ｈ）を出力してから機種データを出力していたが、第２実施例の初期化ジョブでは、機種指定コマンドの代わりに初期図柄表示コマンドあるいは復帰画面指定コマンドを出力した後、直ちに機種データを出力するのである。第１実施例の機種指定コマンドと同様に、初期図柄表示コマンドあるいは復帰画面指定コマンドも、電源投入時あるいは電源復帰時にだけ出力されるコマンドであるから、これらコマンドに続けて機種データを出力することにすれば、機種指定コマンドを出力せずとも機種データを出力することができ、その分だけ、初期化ジョブを迅速に実施することが可能となる。
【０１６９】
復帰画面指定コマンドに続いて機種データを出力したら（Ｓ２６２）、バックアップしておいた左図柄・中図柄・右図柄の各図柄指定コマンドを音声・ランプ制御部１７０に出力した後（Ｓ２６４）、第２実施例の初期化ジョブを終了して主制御部メインジョブに復帰する。
【０１７０】
尚、左図柄・中図柄・右図柄の各図柄指定コマンドは、通常は変動パターン指定コマンドの後に出力されるコマンドであるため、音声・ランプ制御部１７０が変動パターン指定コマンドを受け取ることなく、これら図柄指定コマンドを受け取った場合には、コマンド順序が異常であるとしてエラーとなってしまう。しかし、復帰画面指定コマンドが出力された場合には、電源断からの復帰に伴う例外的な処理として、変動パターン指定コマンドを受け取ることなく左図柄・中図柄・右図柄の各図柄指定コマンドを受けとった場合でもエラーとなることはない。
【０１７１】
また、以上の説明では、初期図柄表示コマンド（８９ｈ）あるいは復帰画面指定コマンド（８Ａｈ）を出力した後に、機種データを出力するものとした。しかし、これらを一体のコマンドデータとして一度に出力することとしても良い。すなわち、バックアップデータがない場合は、１バイト分の初期図柄表示コマンドと１バイト分の機種データとを繋げた２バイトのコマンドデータを出力し、バックアップデータがある場合は、復帰が面指定コマンドと機種データとを繋げた２バイトのコマンドデータを出力することとしても良い。このように、コマンドと機種データとをコマンドデータとして一度に出力すれば、迅速に出力することが可能となる。
【０１７２】
Ｄ−２．特別遊技時の制御内容：
上述した第１実施例では、特別遊技の最大ラウンド回数が、パチンコ機の機種によって異なっているものとして説明した（機種Ａ，Ｂが１５回で、機種Ｃが１４回）。このような場合でも、音声・ランプ制御部１７０あるいは図柄制御部１６０に対して予めパチンコ機の機種データを出力しておけば、これら制御部ではラウンド回数に応じて演出内容を変更することができるので、主制御部から演出内容の変更を一々指示する必要が無くなり、主制御部の制御負荷を大きく軽減することが可能となる。
【０１７３】
もっとも、予め機種データを出力しておくことによって得られるこうしたメリットは、最大ラウンド回数が機種毎に異なる場合に限られるものではない。むしろ、機種毎に遊技性が異なっており、それに伴って演出内容も大きく異なるような場合に、より大きなメリットを得ることができる。以下に説明する第２実施例では、パチンコ機の機種Ｃについては、他の機種Ａ，Ｂとは異なり、次のような特別な遊技を行うものとする。すなわち、機種Ｃでは、大当り発生時の特別図柄の種類に関係なく、大入賞口を開口させる大当り状態の遊技が最終ラウンドを終了したら、その時点から特別図柄が所定回数（例えば５０回）変動するまで、特別図柄の当否判定を当たり判定となる確率が高い（例えば１／７５）高確率状態（確変状態）で行うとともに、特別図柄の変動時間を短縮させる制御を行うものとする。更に、高確率状態の間に大当りが発生しなかった場合には、高確率状態終了後、特別図柄の当否判定を通常の確率（例えば１／３００）である低確率状態（通常状態）で行うとともに、特別図柄が高確率状態終了時から所定回数（例えば１００回）変動するまで特別図柄の変動時間を短縮させる制御を行うものとする。一方、機種Ａ，Ｂでは、大当り発生時の特別図柄の種類が確変図柄（例えば、１，３，５，７，９）であった場合は、その大当り遊技が終了してから次回の大当り遊技が発生するまで特別図柄の当否判定を高確率状態で行い、高確率状態における大当り発止時の特別図柄の種類が非確変図柄（例えば、０，２，４，６，８）であった場合は、その大当り遊技が終了したら、次回の大当り遊技が発生するまで特別図柄の当否判定を低確率状態で行うとともに、所定回数（例えば１００回）だけ当否判定時の図柄変動時間を短縮させる制御を行うものとする。更に、機種Ｂでは、低確率状態（通常状態）における大当り発生時の特別図柄の種類が通常図柄（例えば、０，２，４，６，８）であった場合も、その大当り遊技が終了したら、次回の大当り遊技が発生するまで特別図柄の当否判定を低確率状態で行うとともに、所定回数（例えば１００回）だけ当否判定時の図柄変動時間を短縮させる制御を行うものとする。このように、機種Ｃだけ他の機種Ａ，Ｂとは大きく異なる遊技を行う場合であっても、主制御部１４０から音声・ランプ制御部１７０および図柄制御部１６０に向かって、機種データを予め出力しておけば、主制御部１４０から詳細な制御内容を指示せずとも、機種に応じて適切な演出を行うことが可能となる。以下、こうした第２実施例における特別遊技時の制御内容について説明する。
【０１７４】
図２８は、第２実施例において、機種Ｃの主制御部１４０が行う特別遊技関連ジョブの流れを示すフローチャートである。機種Ａ，機種Ｂで行われる特別遊技関連ジョブの内容は、図２５を用いて説明した第１実施例と同様である。以下、フローチャートに従って説明する。
【０１７５】
機種Ｃにおいても、他の機種と同様に、特別遊技関連ジョブを開始すると、先ず初めに大当りか否か、すなわち特別遊技状態か否かを確認する（Ｓ３０２）。そして、大当り状態である場合は、所定期間だけ大入賞口を開口させる（Ｓ３０４）。詳細には、図２５を用いて説明したように、大入賞口開口コマンドを出力し、所定時間の経過あるいは所定個数の入賞が確認されたら大入賞口閉鎖コマンドを出力する。
【０１７６】
次いで、所定の継続条件が成立したか否かを判断し（Ｓ３０６）、継続条件が成立していれば（Ｓ３０６：ｙｅｓ）、所定ラウンド回数に達したか否かを判断する（Ｓ３０８）。ここで所定の継続条件とは、前述した第１実施例と同様に、大入賞口３１１の内部に設けられた特定領域（いわゆるＶ入賞口）を遊技球が通過していることを言う。また、所定ラウンド回数とは、機種Ｃについては１４ラウンドに設定されている。
【０１７７】
そして、継続条件が成立しており（Ｓ３０６：ｙｅｓ）、且つ、所定ラウンド回数に達していなければ（Ｓ３０８：ｎｏ）、再びＳ３０４に戻って所定期間だけ大入賞口を開口させる。一方、継続条件が成立していないか（Ｓ３０６：ｎｏ）、所定ラウンド回数に達した場合（Ｓ３０８：ｙｅｓ）は、大入賞口３１１を開口させる大当り遊技を終了して、確変遊技を開始する（Ｓ３１０）。確変遊技とは、特別図柄の抽選時に図柄変動の時間を短縮するとともに、大当りとなる確率が高い値（例えば１／７０）に設定された高確率状態で行う遊技である。
【０１７８】
第２実施例の機種Ｃでは、大当り遊技終了後、特別図柄の変動を所定回数（例えば５０回）行うまでの期間は、確変遊技を行う設定になっている。そこで、確変遊技を開始したら、特別図柄の変動を行う度に、所定回数変動したか否かを判断する（Ｓ３１２）。
【０１７９】
そして、所定回数の変動を行ったと判断されたら（Ｓ３１２：ｙｅｓ）、確変遊技を終了して今度は時短遊技を開始する（Ｓ３１４）。時短遊技とは、特別図柄の抽選時に図柄変動の時間を短縮した状態で行う遊技である。時短遊技を行うと、当否判定の結果が速やかに得られるので、保留数を効率よく消化することができる。更に、始動口１７の開口時間も長くなるので遊技球が入賞し易くなり、図柄変動時間が短縮化されたことと相まって、特別図柄の抽選を短時間に数多く行うことができ、延いては大当り状態になり易い遊技状態となる。尚、時短遊技は、通常の遊技状態と同様に、特別図柄の抽選時に大当りとなる確率が通常の値（例えば１／３００）に設定された低確率状態で行われる。
【０１８０】
第２実施例の機種Ｃでは、確変遊技の終了後、特別図柄の変動を所定回数（例えば１００回）行うまでの期間は、時短状態の遊技を行う設定になっている。そこで、時短遊技を開始したら、特別図柄の変動を行う度に、所定回数変動したか否かを判断する（Ｓ３１６）。そして、所定回数の変動を行ったと判断されたら（Ｓ３１６：ｙｅｓ）、時短状態での遊技も終了して、特別遊技関連ジョブを終了する。
【０１８１】
このように、第２実施例の機種Ｃについては、大当り状態の終了後、確変状態、時短状態と、遊技状態が特別図柄の変動回数に応じて変化していく。音声・ランプ制御部１７０および図柄制御部１６０では、遊技状態が変化することに合わせて、その変化を遊技者に認識させるために演出内容も切り換えていく必要がある。第２実施例の音声・ランプ制御部１７０および図柄制御部１６０は、次のような制御を行っているので、主制御部１４０が一々コマンドを出力せずとも、こうした切り替えを行うことが可能である。以下、第２実施例の音声・ランプ制御部１７０および図柄制御部１６０が行う特別遊技関連ルーチンについて説明する。
【０１８２】
図２９は、特別遊技関連ルーチンの流れを示すフローチャートである。かかるルーチンは、第２実施例の機種Ｃの主制御部１４０が、上述した特別遊技関連ジョブを実行することと並行して、音声・ランプ制御部１７０および図柄制御部１６０によって実施されるルーチンである。
【０１８３】
第２実施例の特別遊技関連ルーチンを開始すると、先ず初めに、主制御部１４０から大当り開始コマンドを受け取ったか否かを判断する（Ｓ７０２）。未だ、大当り開始コマンドを受け取っていなければ、開始コマンドが出力されるまで待機しておき、大当り開始コマンドを受け取ったら（Ｓ７０２：ｙｅｓ）、機種に応じた最終ラウンド数を取得する（Ｓ７０４）。第２実施例においても第１実施例と同様に、機種Ａおよび機種Ｂについては１５ラウンドが最終ラウンドであり、機種Ｃについては１４ラウンドが最終ラウンドに設定されている。
【０１８４】
続いて、主制御部１４０から大入賞口開口コマンドが出力されたか否かを判断し（Ｓ７０６）、大入賞口開口コマンドを受け取ったら、最終ラウンドか否かを判断する（Ｓ７０８）。すなわち、パチンコ機１が機種Ａあるいは機種Ｂであれば、１５ラウンド目か否かを判断し、機種Ｃであれば、１４ラウンド目か否かを判断するのである。
【０１８５】
そして、未だ最終ラウンドに達していないと判断した場合は（Ｓ７０８：ｎｏ）、通常ラウンド用の演出を実施した後（Ｓ７１０）、再び大入賞開口コマンドが出力されたか否かを判断し（Ｓ７０６）、開口コマンドが出力されるまで待機する。こうした操作を繰り返し、最終ラウンドに達したら（Ｓ７０８：ｙｅｓ）、最終ラウンド用の演出を実施する（Ｓ７１２）。
【０１８６】
最終ラウンド用の演出を終了したら、今度は、パチンコ機が機種Ｃか否かを判断する（Ｓ７１４）。前述したように、パチンコ機の電源投入時あるいは復電時に主制御部１４０から音声・ランプ制御部１７０および図柄制御部１６０に向かって機種データが出力されているので、かかるデータを参照することにより、機種Ｃか否かを容易に判断することができる。
【０１８７】
そして、機種Ｃではないと判断された場合は（Ｓ７１４：ｎｏ）、そのまま特別遊技関連ルーチンを終了し、この後、大当り発生時の特別図柄の種類（確変図柄または非確変図柄）や遊技状態（確変状態または通常状態）に応じた演出制御を行う。一方、機種Ｃと判断された場合は（Ｓ７１４：ｙｅｓ）、更に続く一連の処理を行う。すなわち、前述したように第２実施例では、機種Ｃの場合は、大当り発生時の特別図柄の種類に関係なく大当り状態が終了してもそのまま特別遊技を終了せずに、特別図柄の変動回数に応じて確変遊技、時短遊技と遊技状態を変化させるので、大当り状態が終了したら、パチンコ機が機種Ｃか否かを判断するのである。
【０１８８】
Ｓ７１４でパチンコ機が機種Ｃと判断された場合は、確変状態となったことを遊技者に報知させるべく、確変用の演出を開始する（Ｓ７１６）。続いて、特別図柄の変動を所定回数行ったか否かを判断する（Ｓ７１８）。前述したように、第２実施例における機種Ｃでは、大当り状態終了後、変動を所定回数（例えば５０回）行うまでは確変状態で遊技を実行する設定になっているので、変動回数が所定回数に達したか否かを判断するのである。そして、変動回数が所定回数に達したと判断されたら（Ｓ７１８：ｙｅｓ）、遊技状態が時短遊技に切り換わったことを遊技者に報知させるべく、今度は、時短用の演出を開始する（Ｓ７２０）。前述したように、時短状態での遊技は、特別図柄の変動を所定回数（例えば１００回）行うまでの期間だけ実施される設定となっている。そこで、時短用の演出を開始したら、特別図柄の変動を所定回数（例えば１００回）行ったか否かを判断し（Ｓ７２２）、変動を所定回数行うまで時短状態の演出を継続する。そして、所定回数の変動を行ったと判断されたら（Ｓ７２２：ｙｅｓ）、第２実施例の特別遊技関連ルーチンを終了する。
【０１８９】
以上に説明した第２実施例の特別遊技関連ルーチンでは、パチンコ機が機種Ｃである場合は、大当り遊技終了後の演出内容が前述したように大当り発生時の特別図柄の種類に関係なく、特別図柄の変動回数に応じて「確変状態」から「時短状態」に続けて切り換わっていくのに対し、パチンコ機が機種Ａまたは機種Ｂである場合、前述したように大当り遊技終了後は大当り発生時の特別図柄の種類（確変図柄または非確変図柄）や遊技状態（確変状態または通常状態）に応じた演出制御を行うこととなり、大当り遊技終了後の演出内容は「確変状態」または「時短状態」または「通常状態」のうちのどれか一つとなるので、「確変状態」から「時短状態」に続けて切り換わることはない。このように、機種Ａ，Ｂとは全く異なる態様で演出内容が切り換わる機種Ｃの場合でも、予め機種データを出力しておくことで、主制御部１４０から切り替えを指示するためのコマンドを出力することなく演出内容を切り換えることが可能となる。すなわち、上述した説明では、機種Ｃであれば最終ラウンドが１４ラウンドで、確変状態での特別図柄の変動回数が５０回、時短状態での特別図柄の変動回数が１００回と決まっているので、主制御部１４０からは一々演出内容を指示するコマンドを出力せずとも、音声・ランプ制御部１７０および図柄制御部１６０が記憶している機種データに基づいて、自律的に演出内容を切り換えることができる。
【０１９０】
その結果、主制御部１４０の制御負荷を軽減することが可能となる。また、音声・ランプ制御部１７０および図柄制御部１６０が自律的に演出内容を切り換えることができるので、各機種の基板を共通化して、同じ音声・ランプ制御基板３７０および図柄制御基板３６０を使用することも可能となる。
【０１９１】
Ｅ．遊技中機種指定コマンドの詳細：
以上に詳しく説明したように、本実施例のパチンコ機１では、主制御部から音声・ランプ制御部１７０に向かって、パチンコ機の機種（あるいはスペック）を表す機種指定コマンドを出力することで、音声・ランプ制御部１７０および図柄制御部１６０に機種（あるいはスペック）を認識させ、これにより、主制御部１４０の制御負荷の軽減と、各機種の基板の共通化とを図っている。もっとも、各種基板に電力を供給するコネクタの接触不良などの理由から、音声・ランプ制御部１７０や図柄制御部１６０などのいわゆる副制御部のみ電力の供給が途絶えてしまうことが生じ得る。また、各基板に設けられているバックアップ電源の容量の違いから、遊技店の停電時に主制御部１４０のデータは失われなかったものの、音声・ランプ制御部１７０や図柄制御部１６０などの副制御部に記憶されているデータのみが失われてしまう場合も生じ得る。このような場合を考慮して、本実施例のパチンコ機１では、遊技中にも、制御の負担とならないタイミングを見計らって遊技中機種指定コマンドを出力している。このため、本実施例のパチンコ機１では、遊技中にも、音声・ランプ制御部１７０や図柄制御部１６０が、機種（あるいはスペック）の情報を取得することが可能であり、機種に応じて演出内容を適切に切り換えることができる。以下では、こうした遊技中機種指定コマンドについて詳しく説明する。
【０１９２】
図３０（ａ）は、本実施例のパチンコ機１において、主制御部１４０から音声・ランプ制御部１７０に向かって出力される遊技中機種指定コマンドを一覧的に示した説明図である。図示されているように、本実施例のパチンコ機１では遊技中機種指定コマンドとして、「始動入賞指定コマンド」と、「普通図柄停止コマンド」と、「特別図柄停止コマンド」の３種類のコマンドが設けられている。ここで、前述したように、始動入賞指定コマンドとは、遊技球が始動口１７に入賞したことを指定するために、主制御部１４０から音声・ランプ制御部１７０に向かって出力されるコマンドである。また、普通図柄停止コマンドとは、普通図柄の変動表示を停止させるために主制御部１４０から出力されるコマンドであり、特別図柄停止コマンドとは、特別図柄の変動表示を停止させるために、主制御部１４０から出力されるコマンドである。
【０１９３】
先ず、始動入賞指定コマンドについて説明すると、機種Ａのパチンコ機１では、始動入賞指定コマンドとして「Ａ９００ｈ」を出力し、機種Ｂのパチンコ機１では「Ａ９０１ｈ」を、機種Ｃのパチンコ機１では「Ａ９０２ｈ」を出力する。尚、「ｈ」とは１６進数表示されていることを表している。これらコマンドのうち、上位の１バイト分はいずれも「Ａ９ｈ」と同じ値となっている。この上位の１バイトは、遊技球が始動口１７に入賞したことを表している部分、いわばこのコマンドを、始動入賞指定コマンドたらしめている部分（コマンドの本体部分）である。また、上述した３つのコマンドの下位１バイトは、機種Ａについては「００ｈ」、機種Ｂについては「０１ｈ」、機種Ｃについては「０２ｈ」と、いずれも各機種の機種データと一致している。すなわち、本実施例のパチンコ機１における始動入賞指定コマンドは、コマンドの本体部分に相当する上位１バイトのデータと、機種データを表す下位１バイトのデータとが合成された合計２バイトのデータとなっている。
【０１９４】
また、普通図柄停止コマンドについては、機種Ａのパチンコ機１では「９７００ｈ」を出力し、機種Ｂのパチンコ機１では「９７０１ｈ」を、機種Ｃのパチンコ機１では「９７０２ｈ」を出力する。これら３つのコマンドで共通している上位１バイトのデータ「９７ｈ」は、普通図柄の変動表示を停止させることを意味している部分（コマンドの本体部分）である。また、下位１バイトのデータは、それぞれの機種データと一致している。すなわち、普通図柄停止コマンドは、コマンドの本体部分に相当する上位１バイトのデータと、機種データを表す下位１バイトのデータとが合成された合計２バイトのデータとなっている。
【０１９５】
更に、特別図柄停止コマンドについては、機種Ａのパチンコ機１では「８７００ｈ」を、機種Ｂのパチンコ機１では「８７０１ｈ」を出力し、機種Ｃのパチンコ機１では「８７０２ｈ」を出力する。これら３つのコマンドで共通している上位１バイトのデータ「８７ｈ」は、特別図柄の変動表示を停止させることを意味しており、このコマンドを特別図柄停止コマンドたらしめている部分（コマンドの本体部分）である。また、下位１バイトのデータは、それぞれの機種データと一致している。
【０１９６】
このように、本実施例のパチンコ機１における始動入賞指定コマンド、普通図柄停止コマンド、特別図柄停止コマンドは、いずれも、コマンドの本体部分に相当する上位１バイトのデータと、機種データに相当する下位１バイトのデータとが合成された構造となっている。従って、本実施例のパチンコ機１では、遊技中にこれら始動入賞指定コマンド、普通図柄停止コマンド、特別図柄停止コマンドを出力する度に、パチンコ機１の機種を指定することが可能となっており、遊技中機種指定コマンドとして機能していることになる。その結果、音声・ランプ制御部１７０や図柄制御部１６０などで記憶されている機種に関する情報が、遊技中に何らかの原因で消えてしまった場合でも、遊技球が始動口１７に入賞する度に、そして普通図柄や特別図柄が停止する度に、機種に関する情報を取得して適切な演出を行うことが可能となる。
【０１９７】
また、始動入賞指定コマンド、普通図柄停止コマンド、特別図柄停止コマンドを遊技中機種指定コマンドとしておけば、主制御部１４０や、音声・ランプ制御部１７０、図柄制御部１６０などにおける制御負荷を増加させることなく、機種に関する情報を出力することが可能である。以下では、この点について説明する。
【０１９８】
図３０（ｂ）は、一般的なパチンコ機における始動入賞指定コマンド、普通図柄停止コマンド、特別図柄停止コマンドを示している。図示されているように、これら３つのコマンドは、上位１バイトにはそれぞれのコマンドに対応する値が設定されているが、下位の１バイトはいずれも「００ｈ」となっている。これは、これら３つのコマンドは、いずれも単純な内容しか表していないため、１バイトあればコマンドの内容を十分に表現可能であることによる。
【０１９９】
例えば、始動入賞指定コマンドは、単に遊技球が始動口１７に入賞したことを伝達するだけであり、普通図柄停止コマンドは普通図柄の変動表示を停止させる旨を、特別図柄停止コマンドは特別図柄の変動表示を停止させる旨を指示しているに過ぎない。これに対して、例えば図２３に示した左特別図柄指定コマンドであれば、上位１バイトには左特別図柄指定コマンドであることを示す値「８４ｈ」となり、下位の１バイトには指定する図柄を特定するための値が来る。このように、多くのコマンドでは内容を表すために通常２バイトが必要となるのに対し、始動入賞指定コマンド、普通図柄停止コマンド、特別図柄停止コマンドについては、上位１バイトあればコマンドの内容を表すことができる。すなわち、下位１バイトは使われていない状態となっている。この使われていない下位１バイトに機種データを組み込んでおいたとしても、主制御部１４０がコマンドを出力する手間は同じであり、何ら制御負荷を増加させることはない。また、音声・ランプ制御部１７０や図柄制御部１６０などの副制御部にとっても、機種データを受け取るために、特別のコマンドを受ける必要が生じるわけではなく、従って、音声・ランプ制御部１７０や図柄制御部１６０の制御負荷を増加させるわけでもない。
【０２００】
このように、本実施例では、２バイトのコマンドデータの中で、使用されていないバイトに機種データを組み込んで、遊技中機種指定コマンドとしての機能を持たせることにより、何ら制御負荷を増加させることなく、遊技中に機種の情報を音声・ランプ制御部１７０や図柄制御部１６０などに出力することを可能としているのである。
【０２０１】
尚、以上の説明では、始動入賞指定コマンド、普通図柄停止コマンド、特別図柄停止コマンドの３つのコマンドに、遊技中機種指定コマンドとして機能を持たせているが、もちろん、他にも、使用されていないバイトを含むコマンドがあれば、そのコマンドに機種データを組み込んで、遊技中機種指定コマンドとして機能させることも可能である。もっとも、始動入賞指定コマンド、普通図柄停止コマンド、特別図柄停止コマンドの３つのコマンドは、遊技中に頻繁に出力されるコマンドであることから、これらのコマンドに遊技中機種指定コマンドの機能を組み込んでおけば、速やかに機種データを供給することが可能となるので好ましい。更に、始動口１７への遊技球の入賞は、他の多くの演出のきっかけとなることから、始動入賞指定コマンドに機種データを組み込んでおけば、多くの場合に、演出が開始される前に機種データを供給することが可能となるという利点も得ることができる。
【０２０２】
Ｆ．第３実施例のパチンコ機の制御の概要  ：
また、遊技機の機種あるいはスペックの違いによって、大当りが発生することとなる特別図柄の組合せ数のうち、確変機能が作動することとなる特別図柄の組合せ数が占める割合、（いわゆる確変突入率）が異なる値に設定とされる場合がある。確変突入率が異なる機種間では、特別図柄表示装置２７に表示される特別図柄（疑似図柄）の設定も異なるが、主制御部１４０から音声・ランプ制御部１７０に向かって機種指定コマンドを出力することにより、音声・ランプ制御部１７０がパチンコ機の機種（あるいはスペック）を認識可能としておけば、異なる機種間（あるいは異なるスペック間）で音声・ランプ制御部１７０の構成を共通化することが可能となる。以下では、かかる第３実施例について説明する。
【０２０３】
図３１は、第３実施例のパチンコ機で行われる特別図柄制御ジョブの流れを示すフローチャートである。かかるジョブは、図２２を用いて前述した第１実施例の特別図柄制御ジョブと同様に、図１２に示した主制御部メインジョブの中で主制御部１４０によって実行されるジョブである。以下、フローチャートに従って説明する。
【０２０４】
第３実施例の特別図柄制御ジョブを開始すると、先ず初めに、現在の遊技状態が特別遊技状態であるか否かを判断し（Ｓ４０２）、特別遊技中でないと判断された場合は（Ｓ４０２：ｎｏ）、後述するように当否の判定に続く一連の処理を行う。一方、特別遊技中であると判断された場合は（Ｓ４０２：ｙｅｓ）、当否判定に続く処理を行うことなく、図３１に示す特別図柄制御ジョブを抜けて、図１２の主制御部メインジョブに復帰する。
【０２０５】
Ｓ４０２において特別遊技中でないと判断された場合は（Ｓ４０２：ｎｏ）、当否の判定に先立って、現在の遊技状態が確変中か否かを判断する（Ｓ４０４）。これは、前述したように確変中は低確率状態（通常状態、時短状態）に比べて、当否判定結果が当りになる確率が高い確率に設定されていることに対応したものである。そして、確変中であると判断された場合は（Ｓ４０４：ｙｅｓ）、大当りの確率が高めに設定された状態で、特別図柄の当否判定を行う（Ｓ４０６）。一方、確変中でないと判断された場合は（Ｓ４０４：ｎｏ）、大当りの確率が通常の値に設定された状態で、特別図柄の当否判定を行う（Ｓ４０８）。
【０２０６】
本実施例の遊技機では、特別図柄の当否の判定は、次のような当否判定テーブルを参照することによって行っている。図３２は、特別図柄の当否判定を行うために参照する当否判定テーブルを概念的に示した説明図である。図示されているように、当否判定テーブルには、図３２（ｂ）に示す確変用のテーブルと図３２（ａ）に示す非確変用のテーブルとが用意されており、それぞれのテーブルには、特別図柄の当否判定を行うために取得された乱数（特別図柄当否判定乱数）に対して、「通常当り」、「確変当り」、「外れ」の何れかの当否判定結果が対応付けて記憶されている。また、図３２（ａ）と図３２（ｂ）とを比較すれば明らかなように、確変中に参照される当否判定テーブルは、非確変中に参照される当否判定テーブルよりも当りの確率が高くなっている。図３１に示した特別図柄制御ジョブのＳ４０６あるいはＳ４０８では、確変中か否かに応じて図３２に示した当否判定テーブルを参照することにより、当否の結果が、通常当り、確変当り、外れの何れであるかを決定する処理を行う。
【０２０７】
尚、図３２に例示したテーブルでは、通常当りが発生する確率と、確変当りが発生する確率とが同じ確率に設定されている。これは、第３実施例の機種（またはスペック）が、いわゆる確変突入率が５０％に設定されていることに対応したものである。従って、確変突入率が異なる値に設定された機種では、特別図柄当否判定乱数と当否判定結果との対応関係も、それに応じて異なった設定となっている。
【０２０８】
こうして特別図柄の当否判定を行ったら、特別図柄関連コマンドを音声・ランプ制御基板３７０に向かって出力するための一連の処理を行う。すなわち、先ず初めに、特別図柄を変動表示させるパターン（変動パターン）を決定する（Ｓ４１０）。変動パターンは、特別図柄の当否に応じて抽選を行うことにより、決定することができる。
【０２０９】
次いで、決定した特別図柄の変動パターンを指定するコマンド（変動パターン指定コマンド）を、音声・ランプ制御部１７０に出力した後（Ｓ４１２）、パチンコ機の機種（あるいはスペック）を示すコマンド（機種指定コマンド）を音声・ランプ制御部１７０に出力する（Ｓ４１４）。第３実施例では、パチンコ機の機種として、機種Ａおよび機種Ｂの２つの機種が設定されており、機種Ａの場合には機種指定コマンドとして「８Ｄ００ｈ」が出力され、機種Ｂの場合には「８Ｄ０１ｈ」が出力されるものとする。ここで、「ｈ」はいわゆる１６進数表示されていることを示し、「８Ｄｈ」はコマンドが機種指定コマンドであり、続く１バイトのデータが機種を表していることを示している。また、「８Ｄｈ」に続く「００ｈ」は機種Ａであることを示し、「０１ｈ」は機種Ｂであることを示している。
【０２１０】
こうして機種指定コマンドを出力したら、続いて、当否判定の結果に応じて停止表示すべき特別図柄（本図柄）を決定して、決定した特別図柄を指定するコマンド（特別図柄指定コマンド）を出力する（Ｓ４１６）。ここで本図柄とは、図４を用いて前述したように、特別図柄表示装置２７の表示画面２７１の下方に設けられた主表示領域２７１Ａに、小さく表示される特別図柄である。
【０２１１】
図３３は、主表示領域２７１Ａに特別図柄（本図柄）が表示されている様子を示している。図示されているように、本実施例のパチンコ機では、特別図柄（本図柄）は、円形が３つの領域に塗り分けられた図柄として表示されており、これら３つの領域は、それぞれ「赤」、「緑」、「青」の何れかの色で塗り分けられている。３つの領域がそれぞれ３色の中の何れかを取り得るから、結局、本図柄としては、３×３×３＝２７通りの図柄を表示することが可能となっている。
【０２１２】
図３４は、特別図柄（本図柄）の取り得る２７通りの図柄を例示した説明図である。図示されているように各図柄には、「００ｈ」から「１Ａｈ」までの図柄番号が設定されており、図柄番号によって何れの本図柄を表示するかを指定することが可能となっている。また、これら２７通りの本図柄は、それぞれ当否判定の結果に応じて予め対応付けられている。
【０２１３】
図３５は、２７通りの特別図柄（本図柄）が当否判定の結果に対応付けられている様子を例示した説明図である。図示されているように、機種Ａのパチンコ機では、いわゆる「確変当り」には「００ｈ」〜「０Ｃｈ］の１３通りの本図柄が対応付けられており、いわゆる「通常当り」には「０Ｄｈ」〜「１９ｈ」までの１３通りの本図柄が対応付けられており、「外れ」には「１Ａｈ」の本図柄が対応付けられている。このように、確変当りと通常当りとで本図柄が同数ずつ対応付けられているのは、機種Ａでは、いわゆる確変突入率が５０％に設定されていることに対応したものである。また、機種Ｂのパチンコ機では、「確変当り」には「００ｈ」〜「１１ｈ」までの１８通りの本図柄が対応付けられており、「通常当り」には「１２ｈ」〜「１９ｈ」までの８通りの本図柄が対応付けられており、「外れ」には「１Ａｈ」の本図柄が対応付けられている。このように、確変当りに対応付けられた本図柄数と通常当りに対応付けられた本図柄数が、それぞれ「１８」と「８」なっているのは、機種Ｂの確変突入率が約７０％に設定されていることに対応したものである。
【０２１４】
図３１に示したＳ４１６では、こうした対応関係に基づき、パチンコ機の機種と当否判定結果との組合せに応じて、対応する本図柄を抽選によって決定した後、決定した本図柄を指定する特別図柄指定コマンドを、音声・ランプ制御部１７０に向かって出力する処理を行う。尚、本実施例においては、特別図柄指定コマンドは、特別図柄指定コマンドであることを表す先頭バイト（本実施例では「８４ｈ」）に、図３４に示した本図柄の図柄番号を示す１バイトデータを組み合わせた合計２バイトのデータとして出力される。
【０２１５】
こうして特別図柄指定コマンドを出力したら、最後に、本図柄および疑似図柄を停止するコマンド（特別図柄停止コマンド）を音声・ランプ制御部１７０に向かって出力した後（Ｓ４１８）、図３１に示す特別図柄制御ジョブを終了して、図１２の主制御部メインジョブに復帰する。
【０２１６】
以上に説明したように、第３実施例の特別図柄制御ジョブでは、パチンコ機の機種を示すコマンドと、特別図柄（本図柄）を示すコマンドとを音声・ランプ制御部１７０に向かって出力しており、音声・ランプ制御部１７０では、副制御部メインルーチンを実行することにより、主制御部１４０から受け取った機種および本図柄に基づいて、表示画面２７１に表示すべき特別図柄（疑似図柄）の具体的な表示態様を決定する処理を行っている。以下では、第３実施例の音声・ランプ制御部１７０によって実行される副制御部メインルーチンについて説明する。
【０２１７】
図３６は、第３実施例の副制御部メインルーチンで行われる処理の前半部分を示すフローチャートである。また、図３７は、副制御部メインルーチンの後半部分の処理を示すフローチャートである。以下、フローチャートに従って説明する。
【０２１８】
第３実施例の副制御部メインルーチンにおいても、図１５に示した第１実施例のルーチンと同様に、処理を開始すると先ず初めに初期化ルーチンを行った後（Ｓ５１０）、デモ演出ルーチンを行う（Ｓ５３０）。これらの処理は、前述した第１実施例における処理と全く同様であるため、ここでは説明を省略する。
【０２１９】
続いて、変動パターン指定コマンドおよび機種指定コマンドを、主制御部１４０から受信したか否かを判断する（Ｓ５００２）。すなわち前述したように、遊技者によって遊技が開始されると、主制御部１４０では図３１を用いて前述した特別図柄制御ジョブが実行されて、変動パターン指定コマンドおよび機種指定コマンドが出力されるので、音声・ランプ制御部１７０では、これらのコマンドを主制御部１４０から受信したか否かを判断する。そして、これらコマンドを受け取っていない場合は（Ｓ５００２：ｎｏ）、未だ客待ち状態であると判断して、デモ演出ルーチンを実行した後（Ｓ５３０）、再び、変動パターン指定コマンドおよび機種指定コマンドを受信したか否かを判断する（Ｓ５００２）。こうした処理を繰り返すうちに遊技者による遊技が開始され、その結果、主制御部１４０から出力された変動パターン指定コマンドおよび機種指定コマンドを受け取ったと判断したら（Ｓ５００２：ｙｅｓ）、特別図柄（すなわち主表示領域２７１Ａに表示された本図柄、および表示画面２７１に表示された疑似図柄）の変動表示を開始する（Ｓ５００４）。
【０２２０】
特別図柄の変動表示を開始すると、次は、特別図柄指定コマンドを受け取ったか否かを判断する（Ｓ５００６）。前述したように特別図柄指定コマンドは、主表示領域２７１Ａに変動表示されている本図柄を、図３４に示した２７通りの中の何れの図柄で停止させるかを指定する２バイトのコマンドであり、先頭バイトは、そのコマンドが特別図柄指定コマンドであることを表す「８４ｈ」となっている。図３６のＳ５００６では、「８４ｈ」から始まるコマンドを受け取ったか否かを判断し、受け取っていない場合は（Ｓ５００６：ｎｏ）、特別図柄指定コマンドを受け取るまで待機する。そして、特別図柄指定コマンドを受け取ったことを確認したら（Ｓ５００６：ｙｅｓ）、表示画面２７１で変動表示されている疑似図柄の停止図柄（停止特別図柄）を決定する処理を開始する（Ｓ５００８）。
【０２２１】
停止表示する疑似図柄（停止特別図柄）の決定に際しては、音声・ランプ制御基板３７０のＲＯＭ１７３に記憶されている対応テーブルを参照しながら、主制御部１４０から受け取った機種指定コマンドおよび特別図柄指定コマンドに基づいて決定する。図３８は、音声・ランプ制御基板３７０のＲＯＭ１７３に記憶されている対応テーブルを概念的に示した説明図である。図示されているように対応テーブルには、機種指定コマンドと特別図柄指定コマンドとの組合せに対応付けて、疑似図柄を何れの図柄で停止させればよいかが予め設定されている。
【０２２２】
例えば、機種指定コマンドが「８Ｄ００ｈ」であり（パチンコ機は機種Ａ）、特別図柄指定コマンドが「８４００ｈ」である場合は、いわゆる確変当り状態であって、疑似図柄は「１」を表した図柄をゾロ目の状態で、赤色で表示する旨が設定されている。また、機種指定コマンドが「８Ｄ００ｈ」であり、特別図柄指定コマンドが「８４０Ｄｈ」である場合は、いわゆる通常当り状態であって、疑似図柄は「０」を表した図柄をゾロ目の状態で、青色で表示する旨が設定されている。更に、機種指定コマンドが「８Ｄ００ｈ」であり、特別図柄指定コマンドが「８４１Ａｈ」である場合は外れであり、疑似図柄は、いわゆるバラケ目となる図柄を抽選によって決定する旨が設定されている。結局、図３８の対応テーブルには、機種指定コマンドが「８Ｄ００ｈ」（すなわち、パチンコ機が機種Ａ）である場合は、「８４００ｈ」〜「８４０Ｃｈ」の特別図柄指定コマンドに対しては、「１」、「３」、「５」、「７」、「９」の何れかのゾロ目の図柄を赤色で表示し、一方、「８４０Ｄｈ」〜「８４１９ｈ」の特別図柄指定コマンドに対しては、「０」、「２」、「４」、「６」、「８」の何れかのゾロ目の図柄を青色で表示し、特別図柄指定コマンド「８４１Ａｈ」に対しては、バラケ目を表示する旨が設定されている。
【０２２３】
同様に、機種指定コマンドが「８Ｄ０１ｈ」である場合（パチンコ機は機種Ｂ）は、次のように設定されている。先ず特別図柄指定コマンドが「８４００ｈ」である場合は、いわゆる確変当り状態であって、疑似図柄は「０」を表した図柄をゾロ目の状態で、赤色で表示する。また、特別図柄指定コマンドが「８４１２ｈ」である場合は、いわゆる通常当り状態であって、疑似図柄は「２」を表した図柄をゾロ目の状態で、青色で表示する旨が設定されている。更に、特別図柄指定コマンドが「８４１Ａｈ」である場合は外れであり、疑似図柄は、いわゆるバラケ目となる図柄を抽選によって決定する旨が設定されている。結局、図３８の対応テーブルには、機種指定コマンドが「８Ｄ０１ｈ」（すなわち、パチンコ機が機種Ｂ）である場合は、「８４００ｈ」〜「８４１１ｈ」の特別図柄指定コマンドに対しては、「０」、「１」、「３」、「５」、「７」、「８」、「９」の何れかのゾロ目の図柄を赤色で表示し、一方、「８４１２ｈ」〜「８４１９ｈ」の特別図柄指定コマンドに対しては、「２」、「４」、「６」の何れかのゾロ目の図柄を青色で表示し、特別図柄指定コマンド「８４１Ａｈ」に対しては、バラケ目を表示する旨が設定されている。
【０２２４】
図３８に設定されているこうした対応関係は、主制御部１４０から出力される特別図柄指定コマンドと当否判定結果との対応関係に応じたものとなっている。例えばパチンコ機が機種Ａである場合、図３５を用いて前述したように、当否判定結果が確変当りであれば「００ｈ」〜「０Ｃｈ」の中から本図柄が選択され、当否判定結果が通常当りであれば「０Ｄｈ」〜「１９ｈ」の中から本図柄が選択され、当否判定結果が外れであれば、本図柄は必ず「１Ａｈ」が選択される。このことと対応して、図３８に示した対応テーブルにおいても機種指定コマンドが「８Ｄ００ｈ」（すなわちパチンコ機が機種Ａ）である場合には、「８４００ｈ」〜「８４０Ｃｈ」の特別図柄指定コマンドに対しては、「１」、「３」、「５」、「７」、「９」の何れかのゾロ目の図柄を、確変当りを表す赤色で表示し、一方、「８４０Ｄｈ」〜「８４１９ｈ」の特別図柄指定コマンドに対しては、「０」、「２」、「４」、「６」、「８」の何れかのゾロ目の図柄を、通常当りを表す青色で表示し、特別図柄指定コマンド「８４１Ａｈ」に対しては、外れを表すバラケ目を表示する旨が設定されている。また、機種Ａでは、確変突入率が５０％に設定されていることに対応して、確変当り時に表示されるゾロ目の図柄は、「０」〜「９」までの１０通りの図柄の中から選択された５通りの図柄の何れかに設定されている。
【０２２５】
同様に、パチンコ機が機種Ｂである場合は、当否判定結果が確変当りであれば「００ｈ」〜「１１ｈ」の中から本図柄が選択され、当否判定結果が通常当りであれば「１２ｈ」〜「１９ｈ」の中から本図柄が選択され、当否判定結果が外れであれば、本図柄は必ず「１Ａｈ」が選択される（図３５参照のこと）。このことと対応して図３８に示した対応テーブルにおいても、機種指定コマンドが「８Ｄ０１ｈ」（すなわちパチンコ機が機種Ｂ）である場合には、「８４００ｈ」〜「８４１１ｈ」の特別図柄指定コマンドに対しては、「０」、「１」、「３」、「５」、「７」、「８」、「９」の何れかのゾロ目の図柄を、確変当りを表す赤色で表示し、一方、「８４１２ｈ」〜「８４１９ｈ」の特別図柄指定コマンドに対しては、「２」、「４」、「６」の何れかのゾロ目の図柄を、通常当りを表す青色で表示し、特別図柄指定コマンド「８４１Ａｈ」に対しては、外れを表すバラケ目を表示する旨が設定されている。また、機種Ｂでは、確変突入率が７０％に設定されていることに対応して、確変当り時に表示されるゾロ目の図柄は、「０」〜「９」までの１０通りの図柄の中から選択された７通りの図柄の何れかに設定されている。
【０２２６】
図３６に示した副制御部メインルーチンのＳ５００８では、図３８に例示した対応テーブルを参照しながら、機種指定コマンドおよび特別図柄指定コマンドの組合せに応じて、疑似図柄の停止図柄を決定する処理を行う。
【０２２７】
こうして疑似図柄の停止図柄を決定したら（Ｓ５００８）、主制御部１４０から特別図柄停止コマンドを受信したか否かを判断し（Ｓ５０１０）、未だ停止コマンドを受信していない場合は（Ｓ５０１０：ｎｏ）、コマンドを受信するまで、特別図柄（本図柄および疑似図柄）を変動表示させたままの状態で待機する。そして、特別図柄指定コマンドを受け取ったことが確認されたら（Ｓ５０１０：ｙｅｓ）、本図柄および疑似図柄の変動表示を停止させる（図３７のＳ５０１２）。
【０２２８】
次いで、大当りが発生したか否かを判断する（Ｓ５０１４）。かかる判断は、主制御部１４０から受け取った特別図柄指定コマンドに基づいて容易に行うことができる。すなわち、当否判定結果が当りの場合には、「８４００ｈ」〜「８４１９ｈ」の何れかの特別図柄指定コマンドが出力されるので、受け取ったコマンドがこれらのコマンドに該当しているか否かに基づいて、当否判定結果が当りか否か（すなわち大当りが発生したか否か）を判断することができる。
【０２２９】
大当りが発生したと判断された場合は（Ｓ５０１４：ｙｅｓ）、前述した大当り演出ルーチン（Ｓ５５０）および特別遊技関連ルーチン（Ｓ６００）を行う。これらのルーチンは、前述した第１実施例における処理と同様であるため、ここでは説明を省略する。一方、大当りではないと判断された場合は（Ｓ５０１４：ｎｏ）、大当り演出ルーチン（Ｓ５５０）および特別遊技関連ルーチン（Ｓ６００）はスキップする。
【０２３０】
以上のような処理を行ったら、最後に、電源のスイッチがＯＦＦにされたか否かを判断し（Ｓ５０１６）、電源がＯＦＦになっていなければ（Ｓ５０１６：ｎｏ）、再びデモ演出ルーチン（図３６のＳ５３０）に戻って、上述した続く一連の処理を繰り返す。一方、電源がＯＦＦにされたと判断された場合には（Ｓ５０１６：ｙｅｓ）、図３６に示した第３実施例の副制御部メインルーチンを終了する。
【０２３１】
以上に説明した第３実施例においては、主制御部１４０から機種指定コマンドと特別図柄指定コマンドとを出力しておき、音声・ランプ制御部１７０で本図柄に対応する疑似図柄の表示態様を決定するに際しては、主制御部１４０から出力された機種指定コマンドと特別図柄指定コマンドとに基づいて決定している。このため音声・ランプ制御部１７０では、特別図柄指定コマンドと疑似図柄との表示態様とを、機種に応じて自由に設定しておくことが可能である。例えば、同じ特別図柄指定コマンド「８４０Ｅｈ」を受け取った場合でも、機種Ａであれば通常当り状態を表す青色で「２」のゾロ目を表示し、機種Ｂであれば確変当り状態を表す赤色で「０」のソロ目を表示するといったように、機種に応じて異なる疑似図柄を表示させることが可能である。もちろん、このように機種間で疑似図柄の表示態様を自由に変更することができれば、機種間で確変突入率が異なっている場合でも、音声・ランプ制御基板３７０や図柄制御基板３６０については同じ制御基板を使用することができる。
【０２３２】
このように機種間で音声・ランプ制御基板３７０や図柄制御基板３６０などを共用することができれば、これらを機種毎に開発する必要が無くなるので、開発作業を大幅に効率化することが可能となる。更に、機種間で制御基板を共通化しておけば、生産すべき基板の種類を減少させることができるので、生産効率の向上および、ＲＯＭなどの部品の誤組み付けを大きく減少させることが可能となる。
【０２３３】
また、上述した第３実施例においては、機種指定コマンドは、特別図柄の変動開始時に音声・ランプ制御部１７０に向かって出力されている。このため、停電や配線の接続不良など、何らかの理由で音声・ランプ制御基板３７０の電源が瞬間的に切断された場合でも、電断復帰後の図柄の変動開始時に機種指定コマンドを受け取って、機種に対応する適切な疑似図柄を決定することが可能となる。
【０２３４】
尚、以上に説明した第３実施例では、主制御部１４０から供給された特別図柄指定コマンドに基づいて疑似図柄を決定する際に、機種指定コマンドの内容を考慮するものとした。もちろん、特別図柄指定コマンドから疑似図柄を決定する場合だけでなく、例えば、変動パターン指定コマンドから実際の変動パターンを決定する際にも、機種指定コマンドの内容を考慮することとしても構わない。こうすれば、機種に応じて具体的な演出内容を異ならせながらも、音声・ランプ制御基板３７０を初めとする各種基板を共通化することが可能となる。
【０２３５】
なお、前述した第３実施例では特別図柄当否判定乱数を用いて、通常当り、確変当り、外れを決定していたが、特別図柄当否判定乱数によっては、当りか外れかだけを決定し、当りの場合には、さらに別の乱数（当り特別図柄乱数）を用いて、通常当りか確変当りかを決定することとしてもよい。
【０２３６】
以上、本発明についての各種の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０２３７】
例えば、上述した実施例では、初期図柄やデモの表示、あるいは特別遊技関連の演出に際して、機種データを考慮するものとして説明したが、これらに限らず、例えば、普通図柄や特別図柄の表示、あるいは疑似図柄の表示、各種抽選に伴う演出など、種々の制御においても機種データを考慮しながら行うこととしても良い。
【図面の簡単な説明】
【０２３８】
【図１】本発明の実施例によるパチンコ機を前面側（すなわち遊技者の側）から見た正面図である。
【図２】本発明の実施例によるパチンコ機を前面枠が開いた状態で斜め上方から見たときの斜視図である。
【図３】本発明の実施例によるパチンコ機に搭載された各種ＬＥＤ基板の位置関係を示す説明図である。
【図４】本発明の実施例による遊技盤の表面の構造を示す説明図である。
【図５】本発明の実施例によるパチンコ機の裏面側の構造を示す説明図である。
【図６】本発明の実施例によるパチンコ機に搭載された電子制御装置における制御回路の構成を示すブロック図である。
【図７】本発明の実施例による主制御基板の構成を概念的に示す説明図である。
【図８】本発明の実施例によるＣＰＵの詳細な構造を示す説明図である。
【図９】本発明の実施例による払出制御基板の構成を概念的に示す説明図である。
【図１０】本発明の実施例による音声・ランプ制御部の構成を概念的に示す説明図である。
【図１１】本発明の実施例による図柄制御部の構成を概念的に示す説明図である。
【図１２】本実施例のパチンコ機において主制御部で実施される主制御部メインジョブの流れを示すフロー図である。
【図１３】第１実施例のパチンコ機において主制御部で実施される初期化ジョブの流れを示すフロー図である。
【図１４】本実施例のパチンコ機において主制御部から機種指定コマンドが出力される様子を概念的に示す説明図である。
【図１５】本実施例のパチンコ機において音声・ランプ制御部および図柄制御部で実施される副制御部メインルーチンの流れを示すフロー図である。
【図１６】本実施例のパチンコ機において音声・ランプ制御部および図柄制御部で実施される初期化ルーチンの流れを示すフロー図である。
【図１７】本実施例のパチンコ機において主制御部で実施されるデモ演出ジョブの流れを示すフロー図である。
【図１８】本実施例のパチンコ機において音声・ランプ制御部および図柄制御部で実施されるデモ演出ルーチンの流れを示すフロー図である。
【図１９】本実施例のパチンコ機において主制御部で実施される普通図柄制御ジョブの流れを示すフロー図である。
【図２０】本実施例のパチンコ機における普通図柄関連コマンドを例示した説明図である。
【図２１】本実施例のパチンコ機における主制御部１４０が各種の普通図柄関連コマンドを出力する様子を概念的に示す説明図である。
【図２２】本実施例のパチンコ機において主制御部で実施される特別図柄制御ジョブの流れを示すフロー図である。
【図２３】本実施例のパチンコ機における各種の特別図柄関連コマンドを一覧的に例示した説明図である。
【図２４】本実施例のパチンコ機における特別図柄関連コマンドが主制御基板から出力される様子を概念的に示す説明図である。
【図２５】第１実施例のパチンコ機において主制御部で実施される特別遊技関連ジョブの流れを示すフロー図である。
【図２６】第１実施例のパチンコ機において音声・ランプ制御部および図柄制御部で実施される特別遊技関連ルーチンの流れを示すフロー図である。
【図２７】第２実施例のパチンコ機において主制御部で実施される初期化ジョブの流れを示すフロー図である。
【図２８】第２実施例のパチンコ機において主制御部で実施される特別遊技関連ジョブの流れを示すフロー図である。
【図２９】第２実施例のパチンコ機において音声・ランプ制御部で実施される特別遊技関連ルーチンの流れを示すフロー図である。
【図３０】本実施例のパチンコ機において主制御部から音声・ランプ制御部に向かって出力される遊技中機種指定コマンドを一覧的に示した説明図である。
【図３１】第３実施例のパチンコ機で行われる特別図柄制御ジョブの流れを示すフローチャートである。
【図３２】特別図柄の当否判定を行うために参照される当否判定テーブルを概念的に示した説明図である。
【図３３】特別図柄表示装置の主表示領域に特別図柄（本図柄）が表示されている様子を示している。
【図３４】特別図柄表示装置の主表示領域に表示し得る２７通りの本図柄を例示した説明図である。
【図３５】特別図柄の当否判定の結果に対して２７通りの本図柄が対応付けられている様子を例示した説明図である。
【図３６】第３実施例の副制御部メインルーチンで行われる前半部分の処理を示すフローチャートである。
【図３７】第３実施例の副制御部メインルーチンで行われる後半部分の処理を示すフローチャートである。
【図３８】音声・ランプ制御基板のＲＯＭに記憶されている対応テーブルを概念的に示した説明図である。
【符号の説明】
【０２３９】
１  …パチンコ機、    １０  …遊技盤、    １７  …始動口、
２７  …特別図柄表示装置（図柄表示手段）、
１４０…主制御部、    １６０…図柄制御部、    １７０…音声・ランプ制御部、
３７０…主制御基板（機種コマンド出力手段、遊技コマンド出力手段）
【図１】
2006167429.tif 000003
【図２】
2006167429.tif 000004
【図３】
2006167429.tif 000005
【図４】
2006167429.tif 000006
【図５】
2006167429.tif 000007
【図６】
2006167429.tif 000008
【図７】
2006167429.tif 000009
【図８】
2006167429.tif 000010
【図９】
2006167429.tif 000011
【図１０】
2006167429.tif 000012
【図１１】
2006167429.tif 000013
【図１２】
2006167429.tif 000014
【図１３】
2006167429.tif 000015
【図１４】
2006167429.tif 000016
【図１５】
2006167429.tif 000017
【図１６】
2006167429.tif 000018
【図１７】
2006167429.tif 000019
【図１８】
2006167429.tif 000020
【図１９】
2006167429.tif 000021
【図２０】
2006167429.tif 000022
【図２１】
2006167429.tif 000023
【図２２】
2006167429.tif 000024
【図２３】
2006167429.tif 000025
【図２４】
2006167429.tif 000026
【図２５】
2006167429.tif 000027
【図２６】
2006167429.tif 000028
【図２７】
2006167429.tif 000029
【図２８】
2006167429.tif 000030
【図２９】
2006167429.tif 000031
【図３０】
2006167429.tif 000032
【図３１】
2006167429.tif 000033
【図３２】
2006167429.tif 000034
【図３３】
2006167429.tif 000035
【図３４】
2006167429.tif 000036
【図３５】
2006167429.tif 000037
【図３６】
2006167429.tif 000038
【図３７】
2006167429.tif 000039
【図３８】
2006167429.tif 000040